(57)【要約】  第１セルラーＩｎｔｅｒｎｅｔ‐ｏｆ‐Ｔｈｉｎｇｓ（ＣＩｏＴ）デバイスのための第１伝送、および第２ＣＩｏＴデバイスのための第２伝送を生成するための１または複数のプロセッサを含む進化型ノードＢ（ｅＮＢ）について説明する。第１伝送は、第１ナローバンド（ＮＢ）チャネルのために生成され得て、第２伝送は、第２ＮＢチャネルのために生成され得る。第１および第２伝送は、システム情報の同一セットを含み得る。また、複数のＮＢチャネルの１つの上でシステム情報（ＳＩ）伝送を処理するための、ならびに、周波数帯域のセットに対応するサブキャリアのセット上のＰＳＳおよび／またはＳＳＳ伝送から情報を抽出して処理するための、１または複数のプロセッサを含むＣＩｏＴデバイスを説明する。複数のＮＢチャネルは、無線通信システム帯域幅内にあり、複数のＮＢチャネルのうち少なくとも２つは、周波数帯域のセットの外側の無線通信システム帯域幅の部分に対応する。
2018526838.tif 000002
【特許請求の範囲】
【請求項１】
進化型ノードＢ（ｅＮＢ）の装置であって、
無線ネットワーク上の少なくとも１つのセルラーＩｎｔｅｒｎｅｔ‐ｏｆ‐Ｔｈｉｎｇｓ（ＣＩｏＴ）デバイスと通信するように動作可能であり、
１または複数のプロセッサを備え、前記１または複数のプロセッサは、
第１ナローバンド無線通信チャネル（第１ＮＢ無線通信チャネル）上で、第１ＣＩｏＴデバイスのための第１伝送を生成することであって、前記第１伝送は、ナローバンドシステム情報（ＮＢ‐ＳＩ）のセットを含む、生成することと、
第２ＮＢ無線通信チャネル上で、第２ＣＩｏＴデバイスのための第２伝送を生成することであって、前記第２伝送は、前記ＮＢ‐ＳＩのセットを含む、生成することと
を行う、
装置。
【請求項２】
前記１または複数のプロセッサはさらに、
無線通信システム帯域幅における周波数リソースのセットに対応するサブキャリアのセットのために、ロングタームエボリューション（ＬＴＥ）一次同期信号（ＰＳＳ）伝送およびＬＴＥ二次同期信号（ＳＳＳ）伝送のうち少なくとも１つを生成することを行い、
前記第１ＮＢ無線通信チャネルおよび前記第２ＮＢ無線通信チャネルは、前記周波数リソースのセットの外側における前記無線通信システム帯域幅の部分に対応する、
請求項１に記載の装置。
【請求項３】
前記第１ＮＢ無線通信チャネルは、一次ＮＢ無線通信チャネルであり、前記１または複数のプロセッサはさらに、
前記一次ＮＢ無線通信チャネル上で、ナローバンド同期チャネル（ＮＢ‐ＳＣＨ）伝送を生成する、
請求項１または２に記載の装置。
【請求項４】
前記１または複数のプロセッサはさらに、
一次ＮＢ無線通信チャネルのためのナローバンド物理ブロードキャストチャネル伝送（ＮＢ‐ＰＢＣＨ伝送）を生成し、前記ＮＢ‐ＰＢＣＨ伝送は、利用可能なダウンリンク（ＤＬ）ＮＢ無線通信チャネルの数と、利用可能なＮＢ無線通信チャネル各々のロングタームエボリューション（ＬＴＥ）無線通信システム帯域幅における位置と、前記ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくは前記ＬＴＥ無線通信システム帯域幅の外側に展開されるスタンドアロンチャネルのうちの１つとして識別するインジケータとのうち少なくとも１つを含むナローバンドマスター情報ブロック（ＮＢ‐ＭＩＢ）を搬送する、
請求項１または２に記載の装置。
【請求項５】
前記１または複数のプロセッサはさらに、予め定められた周波数ホッピングパターンに従って判定される、前記第１ＮＢ無線通信チャネルと異なるＮＢ無線通信チャネルのための、前記第１ＣＩｏＴデバイスのための次の伝送を生成する、請求項１または２に記載の装置。
【請求項６】
前記１または複数のプロセッサはさらに、
前記第１ＮＢ無線通信チャネル上で、前記第１ＣＩｏＴデバイスのためのナローバンド物理ダウンリンク制御チャネル伝送（ＮＢ‐ＰＤＣＣＨ伝送）を生成し、前記ＮＢ‐ＰＤＣＣＨ伝送は、前記第１ＮＢ無線通信チャネルと異なる第２ＮＢ無線通信チャネル上のナローバンド物理ダウンリンク共有チャネル割り当て（ＮＢ‐ＰＤＳＣＨ）を示す、
請求項１または２に記載の装置。
【請求項７】
機械実行可能命令を含む機械可読記憶媒体であって、
前記機械実行可能命令は、実行されるとき、１または複数のプロセッサに、
進化型ノードＢ（ｅＮＢ）のために、第１ナローバンド無線通信チャネル（第１ＮＢ無線通信チャネル）上で、第１セルラーＩｎｔｅｒｎｅｔ‐ｏｆ‐Ｔｈｉｎｇｓデバイス（第１ＣＩｏＴデバイス）のための第１伝送を生成することであって、前記第１伝送は、ナローバンドシステム情報（ＮＢ‐ＳＩ）のセットを含む、生成することと、
第２ナローバンド無線通信チャネル（第２ＮＢ無線通信チャネル）上で、第２ＣＩｏＴデバイスのための第２伝送を生成することであって、前記第２伝送は、前記ＮＢ‐ＳＩのセットを含む、生成することと
を含む動作を実行させる
機械可読記憶媒体。
【請求項８】
前記動作は、無線通信システム帯域幅における周波数リソースのセットに対応するサブキャリアのセットのために、ロングタームエボリューション（ＬＴＥ）一次同期信号（ＰＳＳ）伝送およびＬＴＥ二次同期信号（ＳＳＳ）伝送のうち少なくとも１つを生成することを含み、前記第１ＮＢ無線通信チャネルおよび前記第２ＮＢ無線通信チャネルは、前記周波数リソースのセットの外側の前記無線通信システム帯域幅の部分に対応する、請求項７に記載の機械可読記憶媒体。
【請求項９】
前記第１ＮＢ無線通信チャネルは、一次ＮＢ無線通信チャネルであり、前記動作は、前記一次ＮＢ無線通信チャネル上で、ナローバンド同期チャネル（ＮＢ‐ＳＣＨ）伝送を生成することを含む、請求項７または８に記載の機械可読記憶媒体。
【請求項１０】
前記動作は、一次ＮＢ無線通信チャネルのためのナローバンド物理ブロードキャストチャネル伝送（ＮＢ‐ＰＢＣＨ伝送）を生成することを含み、前記ＮＢ‐ＰＢＣＨ伝送は、利用可能なダウンリンク（ＤＬ）ＮＢ無線通信チャネルの数と、利用可能なＮＢ無線通信チャネル各々のロングタームエボリューション（ＬＴＥ）無線通信システム帯域幅における位置と、前記ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくは前記ＬＴＥ無線通信システム帯域幅の外側に展開されるスタンドアロンチャネルのうちの１つとして識別するインジケータとのうち少なくとも１つを含むナローバンドマスター情報ブロック（ＮＢ‐ＭＩＢ）を搬送する、請求項７または８に記載の機械可読記憶媒体。
【請求項１１】
前記動作は、予め定められた周波数ホッピングパターンに従って判定される、前記第１ＮＢ無線通信チャネルと異なる、ＮＢ無線通信チャネルのための、前記第１ＣＩｏＴデバイスについての次の伝送を生成することを含む、請求項７または８に記載の機械可読記憶媒体。
【請求項１２】
前記動作は、前記第１ＮＢ無線通信チャネル上で、前記第１ＣＩｏＴデバイスのためのナローバンド物理ダウンリンク制御チャネル伝送（ＮＢ‐ＰＤＣＣＨ伝送）を生成することを含み、前記ＮＢ‐ＰＤＣＣＨ伝送は、前記第１ＮＢ無線通信チャネルと異なるＮＢ無線通信チャネル上のナローバンド物理ダウンリンク共有チャネル割り当て（ＮＢ‐ＰＤＳＣＨ）を示す、請求項７または８に記載の機械可読記憶媒体。
【請求項１３】
無線ネットワーク上で進化型ノードＢ（ｅＮＢ）と通信するように動作可能なセルラーＩｎｔｅｒｎｅｔ  ｏｆ  Ｔｈｉｎｇｓ（ＣＩｏＴ）デバイスの装置であって、
ＮＢ一次同期信号（ＰＳＳ）、ＮＢ二次同期信号（ＳＳＳ）、ＮＢマスター情報ブロック（ＮＢ‐ＭＩＢ）、またはＮＢシステム情報ブロック（ＮＢ‐ＳＩＢ）のうち１つを含む伝送を、複数のナローバンド無線通信チャネル（複数のＮＢ無線通信チャネル）の１つから処理するための、および、
時間・周波数同期およびシステム情報を前記伝送から抽出するための、
１または複数のプロセッサを備え、
前記複数のＮＢ無線通信チャネルは、無線通信システム帯域幅内にあり、
前記複数のＮＢ無線通信チャネルのうちの少なくとも２つは、ロングタームエボリューション（ＬＴＥ）一次同期信号（ＰＳＳ）およびＬＴＥ二次同期信号（ＳＳＳ）を伝送するために使用される周波数リソースのセットの外側における前記無線通信システム帯域幅の部分に対応する、
装置。
【請求項１４】
前記複数のＮＢ無線通信チャネルの１つは、一次ＮＢ無線通信チャネルであり、前記１または複数のプロセッサはさらに、
同期情報をナローバンド同期チャネル伝送（ＮＢ‐ＳＣＨ伝送）から抽出し、
前記一次ＮＢ無線通信チャネル上で前記ＮＢ‐ＳＣＨ伝送を処理する、
請求項１３に記載の装置。
【請求項１５】
前記１または複数のプロセッサはさらに、情報をＮＢ‐ＭＩＢ伝送から抽出し、
前記ＮＢ‐ＭＩＢ伝送は、利用可能なダウンリンク（ＤＬ）ＮＢ無線通信チャネルの数と、利用可能なＮＢ無線通信チャネル各々のＬＴＥ無線通信システム帯域幅における位置と、前記ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくは前記ＬＴＥ無線通信システム帯域幅の外側に展開されるスタンドアロンチャネルのうちの１つとして識別するインジケータとのうち１または複数を含む、請求項１３または１４に記載の装置。
【請求項１６】
前記１または複数のプロセッサはさらに、
第１ＮＢ無線通信チャネル上で第１伝送を処理し、
第２ＮＢ無線通信チャネル上で前記第１伝送に続く次の伝送を処理し、前記第１ＮＢ無線通信チャネルは、前記第２ＮＢ無線通信チャネルと異なる、
請求項１３または１４に記載の装置。
【請求項１７】
前記１または複数のプロセッサはさらに、
第１ＮＢ無線通信チャネル上のナローバンド物理ダウンリンク制御チャネル伝送（ＮＢ‐ＰＤＣＣＨ伝送）を処理することと、
ナローバンド物理ダウンリンク共有チャネル伝送（ＮＢ‐ＰＤＳＣＨ伝送）のためのチャネル割り当てを前記ＮＢ‐ＰＤＣＣＨ伝送から抽出することであって、前記チャネル割り当ては、前記第１ＮＢ無線通信チャネルと異なる第２ＮＢ無線通信チャネルを示す、抽出することと、
前記第２ＮＢ無線通信チャネル上の前記ＮＢ‐ＰＤＳＣＨ伝送を処理することと
を行う、請求項１３または１４に記載の装置。
【請求項１８】
機械実行可能命令を含む機械可読記憶媒体であって、前記機械実行可能命令は、実行されるとき、１または複数のプロセッサに、
セルラーＩｎｔｅｒｎｅｔ‐ｏｆ‐Ｔｈｉｎｇｓ（ＣＩｏＴ）デバイスのために、複数のナローバンド無線通信チャネル（複数のＮＢ無線通信チャネル）の１つから、ナローバンド一次同期信号（ＮＢ‐ＰＳＳ）、ナローバンド二次同期信号（ＮＢ‐ＳＳＳ）、ナローバンドＮＢマスター情報ブロック（ＮＢ‐ＭＩＢ）、またはナローバンドＮＢシステム情報ブロック（ＮＢ‐ＳＩＢ）のうちの１つを含む伝送を処理することと、
時間・周波数同期およびシステム情報を前記伝送から抽出することと、
を含む動作を実行させ、
前記複数のＮＢ無線通信チャネルは、無線通信システム帯域幅内にあり、
前記複数のＮＢ無線通信チャネルのうちの少なくとも２つは、ロングタームエボリューション（ＬＴＥ）一次同期信号（ＰＳＳ）およびＬＴＥ二次同期信号（ＳＳＳ）を伝送するために使用される周波数リソースのセットの外側にある前記無線通信システム帯域幅の部分に対応する、
機械可読記憶媒体。
【請求項１９】
前記複数のＮＢ無線通信チャネルの１つは、一次ＮＢ無線通信チャネルであり、前記動作は、
同期情報をナローバンド同期チャネル伝送（ＮＢ‐ＳＣＨ伝送）から抽出することと、
前記一次ＮＢ無線通信チャネル上で前記ＮＢ‐ＳＣＨ伝送を処理することと
を含む、請求項１８に記載の機械可読記憶媒体。
【請求項２０】
前記動作は、情報をＮＢ‐ＭＩＢ伝送から抽出することを含み、前記ＮＢ‐ＭＩＢ伝送は、利用可能なダウンリンク（ＤＬ）ＮＢ無線通信チャネルの数と、利用可能なＮＢ無線通信チャネル各々のＬＴＥ無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくは前記ＬＴＥ無線通信システム帯域幅の外側に展開されるスタンドアロンチャネルのうちの１つとして識別するインジケータとのうち１または複数を含む、請求項１８または１９に記載の機械可読記憶媒体。
【請求項２１】
前記動作は、
第１ＮＢ無線通信チャネル上の第１伝送を処理することと、
第２ＮＢ無線通信チャネル上の、前記第１伝送に続く次の伝送を処理することであって、前記第１ＮＢ無線通信チャネルは、前記第２ＮＢ無線通信チャネルと異なる、処理することと
を含む、請求項１８または１９に記載の機械可読記憶媒体。
【請求項２２】
前記動作は、
第１ＮＢ無線通信チャネル上の、ナローバンド物理ダウンリンク制御チャネル伝送（ＮＢ‐ＰＤＣＣＨ伝送）を処理することと、
ナローバンド物理ダウンリンク共有チャネル伝送（ＮＢ‐ＰＤＳＣＨ伝送）のためのチャネル割り当てを前記ＮＢ‐ＰＤＣＣＨ伝送から抽出することであって、前記チャネル割り当ては、前記第１ＮＢ無線通信チャネルと異なる第２ＮＢ無線通信チャネルを示す、抽出することと、
前記第２ＮＢ無線通信チャネル上の前記ＮＢ‐ＰＤＳＣＨ伝送を処理することと
を含む、請求項１８または１９に記載の機械可読記憶媒体。
【発明の詳細な説明】
【背景技術】
【０００１】
［優先権の主張］
本出願は、２０１５年７月２７日に出願された、「セルラーＩｏＴのためのナローバンドＬＴＥのためのシステム動作のシステムおよび方法」と題される米国仮特許出願第６２／１９７，３５３号に対する、米国特許法第１１９条（ｅ）に基づく優先権を主張する。その全体は、本明細書において参照によって組み込まれる。
【０００２】
第３世代パートナーシッププロジェクト（３ＧＰＰ）ユニバーサル移動体通信システム（ＵＭＴＳ）、３ＧＰＰロングタームエボリューション（ＬＴＥ）システム、３ＧＰＰ  ＬＴＥアドバンスト（ＬＴＥ‐Ａ）システム、および第５世代無線／第５世代モバイルネットワーク（５Ｇ）システムを含む様々な無線セルラー通信システムが実装されてきた、または、提案されている。次世代無線セルラー通信システムは、ナローバンドＩｎｔｅｒｎｅｔ‐ｏｆ‐Ｔｈｉｎｇｓ（ＮＢ‐ＩｏＴ）デバイス、セルラーＩｎｔｅｒｎｅｔ‐ｏｆ‐Ｔｈｉｎｇｓ（ＣＩｏＴ）デバイス、またはマシン型通信（ＭＴＣ）デバイスのような大量のユーザデバイスに対するサポートを提供し得る。そのようなデバイスは、デバイスの複雑性が非常に低いことがあり得て、レイテンシ耐性を有し得て、スループットが低く電力消費が非常に低いように設計され得る。
【図面の簡単な説明】
【０００３】
本開示の実施形態は、以下において提供されている、発明を実施するための形態から、および、本開示の様々な実施形態の添付図面から、より完全に理解されるであろう。しかしながら、図面は、説明および理解を補助するためのものであるが、それらは補助に過ぎず、それに示される特定の実施形態に本開示を限定するものと解釈してはならない。
【０００４】
【図１】いくつかの実施形態に係る、ダウンリンク（ＤＬ）レガシー第３世代パートナーシッププロジェクト（３ＧＰＰ）ロングタームエボリューション（ＬＴＥ）システム帯域幅（ＢＷ）を示す。
【０００５】
【図２】いくつかの実施形態に係る、アップリンク（ＵＬ）レガシーＬＴＥシステムを示す。
【０００６】
【図３】いくつかの実施形態に係る、ナローバンド（ＮＢ）Ｉｎｔｅｒｎｅｔ‐ｏｆ‐Ｔｈｉｎｇｓ（ＮＢ‐ＩｏＴ）システムのためのＤＬハイブリッド自動再送要求（ＨＡＲＱ）タイミングの例を示す。
【０００７】
【図４】いくつかの実施形態に係る、ＮＢ‐ＩｏＴシステムのためのＵＬ  ＨＡＲＱタイミングの例を示す。
【０００８】
【図５】いくつかの実施形態に係る、ＬＴＥシステムＢＷにおける複数のナローバンドにわたる周波数ホッピングパターンを示す。
【０００９】
【図６】いくつかの実施形態に係る、進化型ノードＢ（ｅＮＢ）およびＮＢ‐ＩｏＴデバイスを示す。
【００１０】
【図７】いくつかの実施形態に係る、ＮＢ‐ＩｏＴ動作のための、ｅＮＢのハードウェア処理回路を示す。
【００１１】
【図８】いくつかの実施形態に係る、ＮＢ‐ＩｏＴ動作のための、ＵＥのハードウェア処理回路を示す。
【００１２】
【図９】いくつかの実施形態に係る、ＮＢ‐ＩｏＴ動作のための、ｅＮＢの方法を示す。
【００１３】
【図１０】いくつかの実施形態に係る、ＮＢ‐ＩｏＴ動作のための、ＵＥの方法を示す。
【００１４】
【図１１】いくつかの実施形態に係る、ＵＥデバイスのコンポーネントの例を示す。
【発明を実施するための形態】
【００１５】
ナローバンドＩｎｔｅｒｎｅｔ‐ｏｆ‐Ｔｈｉｎｇｓ（ＮＢ‐ＩｏＴ）デバイスまたはセルラーＩｎｔｅｒｎｅｔ‐ｏｆ‐Ｔｈｉｎｇｓ（ＣＩｏＴ）デバイスのようなユーザデバイスをサポートするシステムは、ロングタームエボリューション（ＬＴＥ）アドバンスト（ＬＴＥ‐Ａ）仕様（２０１２年９月３０日に締結）のリリース１３における特徴に対する修正に基づき得る。修正され得る関連する特徴は、低複雑性ＭＴＣデバイスであり得るカテゴリＭデバイスについてのサポートを含む。カテゴリＭデバイスは、システム帯域幅に関わらず、無線周波数（ＲＦ）およびベースバンド（ＢＢ）の両方において、ダウンリンク（ＤＬ）およびアップリンク（ＵＬ）上の帯域幅が約１．４ＭＨｚとなるように設計され得る。
【００１６】
様々な実施形態において、ＮＢ‐ＩｏＴシステムは、ＤＬおよびＵＬの両方について、または、ＲＦおよびＢＢの両方におけるＵＬについて、最大２００ｋＨｚの帯域幅についてのＮＢ‐ＩｏＴデバイスをサポートし得る。これらのパラメータに従う、１８０ｋＨｚまたは２００ｋＨｚの帯域幅を有するＮＢ‐ＩｏＴシステムは、グローバル・システム・フォー・モバイル・コミュニケーションズ（ＧＳＭ（登録商標））帯域上、または、ＬＴＥガードバンド上、または、ＮＢ‐ＩｏＴシステムが１つのＬＴＥ物理リソースブロック（ＰＲＢ）を占有し得る、より大きいＬＴＥシステム帯域幅内に展開され得る。ＮＢ‐ＩｏＴは、ＤＬにおいて直交周波数分割多重接続（ＯＦＤＭＡ）に基づく機構を使用し得て、ＵＬにおいて単一キャリア周波数分割多重接続（ＳＣ‐ＦＤＭＡ）または離散フーリエ変換拡散ＯＦＤＭ（ＤＦＴ‐Ｓ‐ＯＦＤＭＡ）のいずれに基づく機構を使用し得る。
【００１７】
代替例として、ＣＩｏＴデバイスのためのＮＢシステムは、クリーンスレートの手法に従って、新しい無線アクセス技術（ＲＡＴ）として設計され得る。そのような手法は、２００ｋＨｚ幅ＧＳＭ（登録商標）帯域上、または、ＬＴＥガードバンド上でＣＩｏＴデバイスをサポートし得る。
【００１８】
ＮＢ‐ＩｏＴシステムの詳細は、以下で説明される。特に、下の説明は、より大きいＬＴＥ無線セルラー通信システムにおけるＮＢ上で動作するＮＢ‐ＩｏＴシステムの機能、複数のＮＢのネットワーク処理、ならびに、ＤＬスケジューリングおよびＵＬスケジューリングを時間・周波数リソースにマッピングするための様々な選択肢を扱う。
【００１９】
本開示の目的のために、ＮＢ‐ＩｏＴ、ＮＢ‐ＩｏＴシステム、ＮＢ‐ＣＩｏＴシステム、ＣＩｏＴシステム、およびＮＢ‐ＬＴＥシステムという用語は、置き換え可能であり得て、実質的に同様の概念を指し得る。さらに、本開示の目的のために、ＮＢ‐ＩｏＴデバイス、ユーザ機器（ＵＥ）、ＮＢ‐ＩｏＴ  ＵＥ、ＮＢ‐ＣＩｏＴデバイス、ＣＩｏＴデバイス、ＮＢ‐ＬＴＥデバイス、マシン型通信（ＭＴＣ）デバイス、ＵＥデバイス、およびモバイル機器という用語は、置き換え可能であり得て、実質的に同様の概念を指し得る。また、ＮＢ‐ＩｏＴ、進化型ノードＢ（ｅＮＢ）、および基地局という用語も置き換え可能であり得て、実質的に同様の概念を指し得る。例えば、ＵＥは、ＣＩｏＴデバイスであり得て、ｅＮＢは、ＮＢ‐ＩｏＴ（例えば、ＮＢ‐ＩｏＴシステム）であり得る。
【００２０】
以下の説明において、本開示の実施形態のより完全な説明を提供すべく、多くの詳細が説明される。しかしながら、これらの具体的な詳細が無くても本開示の実施形態が実施され得ることは、当業者にとって明らかであろう。他の例において、本開示の実施形態を不明瞭にすることを防ぐため、周知の構造およびデバイスは、詳細にではなくむしろ、ブロック図の形式で示される。
【００２１】
実施形態の対応する図面において、信号が線で表されていることに留意されたい。いくつかの線は、より多くの構成信号経路を示すために、より太いことがあり得て、および／または、情報の流れの方向を示すために、１または複数の端に矢印を有することがあり得る。そのような表示は、限定的であることが意図されるものではない。むしろ、線は、回路または論理ユニットのより容易な理解を促進するために、１または複数の例示的な実施形態に関連して使用されるものである。設計上の要求または優先事項によって規定される、ここに表された任意の信号は、いずれの方向にも移動し得る１または複数の信号を実際には含んでよく、任意の適切なタイプの信号スキームで実装され得る。
【００２２】
本明細書の全体にわたって、および、特許請求の範囲において、「接続」という用語は、いかなる中間デバイスもなく接続されているものの間の直接的な電気的、機械的、または、磁気的な接続を意味する。「結合」という用語は、接続されているものの間の直接的な電気的、機械的、または磁気的な接続、または、１もしくは複数の受動型もしくは能動型の中間デバイスを通した間接的接続のいずれかを意味する。「回路」または「モジュール」という用語は、所望の機能を提供するべく互いに連携するように構成される１または複数の受動型および／または能動型コンポーネントを指し得る。「信号」という用語は、少なくとも１つの電流信号、電圧信号、磁気信号、またはデータ／クロック信号を指し得る。「１の」、「１つの」、および「その」の意味は、複数形の参照を含む。「〜において」の意味は、「〜中」および「〜上」を含む。
【００２３】
「実質的に」、「近い」、「約」、「近く」、および「およそ」という用語は、一般的に、標的値の±１０％以内であることを指す。別段の記載が無い限り、「第１」、「第２」、および「第３」など序数の形容表現は、共通のオブジェクトを説明するために使用され、単に、同様のオブジェクトの異なる例が言及されていることを示すに過ぎず、そのように説明されるオブジェクトが、時間、空間、序列、または、他の任意の方式のいずれかで、与えられた順番となる必要があることを示唆するように意図されるものではない。
【００２４】
そのように使用される用語は、本明細書において説明される本発明の実施形態が、例えば、本明細書において例示またはそうでなければ説明されたもの以外の向きでの動作が可能であるように、適切な状況下で置き換え可能であることを理解されたい。
【００２５】
説明および特許請求の範囲において、「左」、「右」、「前」、「後」、「上部」、「底部」、「上」、および「下」などの用語がある場合、これらは、説明の目的で使用されるものであり、必ずしも、永久的な相対的配置を説明するものではない。
【００２６】
実施形態の目的のために、様々な回路、モジュール、および論理ブロックにおけるトランジスタは、トンネリングＦＥＴ（ＴＦＥＴ）である。様々な実施形態のいくつかのトランジスタは、ドレイン、ソース、ゲート、およびバルク端子を含む金属酸化膜半導体（ＭＯＳ）トランジスタを含み得る。また、トランジスタは、トライゲートおよびＦｉｎＦＥＴトランジスタ、ゲート全周円筒形トランジスタ、スクエアワイヤ、もしくは長方形リボントランジスタ、または、カーボンナノチューブもしくはスピントロニクスデバイスのような、他のデバイス実装トランジスタ機能を含み得る。ＭＯＳＦＥＴの対称的なソース端子およびドレイン端子は、すなわち、全く同様の端子であり、ここでは置き換え可能に使用される。他方、ＴＦＥＴデバイスは、非対称のソース端子およびドレイン端子を有する。当業者であれば、例えば、バイポーラ接合トランジスタＢＪＴ  ＰＮＰ／ＮＰＮ、ＢｉＣＭＯＳ、ＣＭＯＳなどの他のトランジスタが、開示の範囲を逸脱することなく、いくつかのトランジスタのために使用され得ることを理解するであろう。
【００２７】
本開示の目的のために、「Ａおよび／またはＢ」ならびに「ＡまたはＢ」という文言は、（Ａ）、（Ｂ）または（ＡおよびＢ）を意味する。本開示の目的のために、「Ａ、Ｂ、および／またはＣ」という文言は、（Ａ）、（Ｂ）、（Ｃ）、（ＡおよびＢ）、（ＢおよびＣ）、または（Ａ、Ｂ、およびＣ）を意味する。
【００２８】
加えて、本開示において説明される組み合わせ論理および順序論理の両方の様々な要素は、物理構造（ＡＮＤゲート、ＯＲゲート、またはＸＯＲゲートなど）、または、説明される論理に等価なブール型である論理構造を実装するデバイスの、合成された、もしくは、そうでなければ、最適化された集合に関連し得る。
【００２９】
［ナローバンドおよび関連するＮＢ‐ＩｏＴ動作の規定］
【００３０】
ＮＢ‐ＩｏＴ（例えば、ＮＢ‐ＩｏＴシステム）は、周波数における単一の物理リソースブロック（ＰＲＢ）をＮＢ‐ＩｏＴに割り当てることによって、レガシーまたは既存のＬＴＥシステム帯域幅（ＢＷ）において展開され得る。代替的に、ＮＢ‐ＩｏＴは、ＬＴＥガードバンド、または、リファーミングされたＧＳＭ（登録商標）スペクトルの一部において、専用のシステムとして展開され得る。
【００３１】
サブキャリア間隔は、ＤＬについては１５ｋＨｚで維持され得て、ＵＬについては３．７５ｋＨｚまたは２．５ｋＨｚなどのより小さい間隔に変更され得る。代替的に、サブキャリア間隔は、ＤＬおよびＵＬの両方について、１５ｋＨｚで維持され得る。さらに、異なるサブキャリア間隔値の組み合わせもサポートされ得る。例えば、ＵＬについて、１５ｋＨｚおよび３．７５ｋＨｚ両方のサブキャリア間隔がサポートされ得る。波形およびアクセス機構に関しては、ＮＢ‐ＩｏＴは、ＤＬについてはＬＴＥ  ＯＦＤＭＡ設計を、ＵＬについてはＬＴＥ  ＳＣ‐ＦＤＭＡ設計を再使用し得る。
【００３２】
レガシーＬＴＥシステムと、レガシーＬＴＥシステム内に展開されるＮＢ‐ＩｏＴとの間のシームレスな共存を提供するために、ＮＢ‐ＩｏＴは、レガシーＬＴＥ広帯域制御領域の外側のＤＬにおけるリソース領域、例えば、ＬＴＥ物理ダウンリンク制御チャネル（ＰＤＣＣＨ）領域などにおいて動作するように規定され得る。図１は、いくつかの実施形態に係るダウンリンク（ＤＬ）レガシーＬＴＥシステムＢＷを示す。レガシーＬＴＥシステムＢＷ１００は、レガシーＬＴＥ制御領域１１０および１または複数のＤＬ  ＮＢ‐ＩｏＴ領域１３０を含み得る。ＮＢ‐ＩｏＴのためのＤＬ伝送をサポートし得るＤＬ  ＮＢ‐ＩｏＴ領域１３０は、レガシーＬＴＥ制御領域１１０の外側に画定され得て、従って、完全なサブフレームより小さい範囲に及び得る。
【００３３】
同様に、図２はいくつかの実施形態に係るアップリンク（ＵＬ）レガシーＬＴＥシステムＢＷを示す。レガシーＬＴＥシステムＢＷ２００は、１または複数のレガシーＬＴＥ物理アップリンク制御チャネル（ＰＵＣＣＨ）領域２１０、１または複数のレガシーＬＴＥ物理ランダムアクセスチャネル（ＰＲＡＣＨ）領域２２０、および、１または複数のＵＬ  ＮＢ‐ＩｏＴ領域２３０を含み得る。ＮＢ‐ＩｏＴのためのＵＬ伝送をサポートし得るＵＬ  ＮＢ‐ＩｏＴ領域２３０は、レガシーＬＴＥ  ＰＵＣＣＨ領域２１０およびレガシーＬＴＥ  ＰＲＡＣＨ領域２２０の外側に規定され得る。
【００３４】
示されているように、ＤＬ  ＮＢ‐ＩｏＴ領域１３０は、レガシーＬＴＥ制御領域１１０（例えば、ＰＤＣＣＨを伝送するために使用され得る、ＤＬ上のＯＦＤＭシンボル）と重複しない。同様に、ＵＬ  ＮＢ‐ＩｏＴ領域２３０は、レガシーＬＴＥ  ＰＵＣＣＨ領域２１０およびレガシーＬＴＥ  ＰＲＡＣＨ領域２２０と重複しないことがあり得る。しかしながら、ＤＬと対照的に、ＵＬの場合において、ＬＴＥ  ＰＵＣＣＨおよびＬＴＥ  ＰＲＡＣＨ領域の回避は、ｅＮＢの実装に委ねられ得て、ｅＮＢの能力に依存し得る。ＤＬ  ＮＢ‐ＩｏＴ領域１３０および／またはＵＬ  ＮＢ‐ＩｏＴ領域２３０におけるＮＢ‐ＩｏＴ動作は適宜、レガシーＬＴＥシステムとより容易に共存し得る。
【００３５】
任意の特定のＣＩｏＴデバイス（または、ＮＢ‐ＩｏＴにおいて動作可能な他のＵＥ）は、無線周波数（ＲＦ）およびベースバンド（ＢＢ）の両方において、２００ｋＨｚの帯域幅など、１つのＮＢだけをサポートし得る。しかしながら、システムレベルにおいて、複数のＮＢ‐ＩｏＴ領域またはＮＢ‐ＩｏＴキャリアは、莫大な数のＣＩｏＴデバイスをサポートするために、ＬＴＥシステムＢＷにおける複数のＮＢにわたって展開され得る。加えて、以下でさらに説明されるように、特定のＵＥに関連する一連の伝送が１つのＮＢから別のＮＢへホップし得る周波数ホッピング（ＦＨ）をサポートすることによって周波数ダイバーシティの恩恵を享受するために、複数のＮＢ‐ＩｏＴが使用され得る。
【００３６】
ＵＥは、場合によってはデバイスレシーバチェーンにおいてキャリア周波数を再調整することよって、ＵＬ上で、ＤＬ物理チャネルを受信し得るか、または、ナローバンド物理アップリンク共有チャネル（ＮＢ‐ＰＵＳＣＨ）を伝送し得る。加えて、ＤＬ  ＮＢ‐ＩｏＴ領域およびＵＬ  ＮＢ‐ＩｏＴ領域の数は異なり得るが、これは、有利なことに、ＭＴＣ展開シナリオおよび特定のアプリケーションに応じてＤＬ／ＵＬトラフィックを調整することに役立ち得る。
【００３７】
一次同期信号（ＰＳＳ）、二次同期信号（ＳＳＳ）、およびＰＢＣＨは、レガシーＬＴＥシステムＢＷの６個の中央ＰＲＢにおいて伝送され得る。レガシーＬＴＥ  ＵＥとＮＢ‐ＩｏＴデバイスとの間の影響を最小化するため、様々な実施形態において、ＬＴＥシステムにおけるＮＢ‐ＩｏＴキャリアのためのＮＢは、１．４ＭＨｚより大きいＬＴＥシステムＢＷのための６個の中央ＰＲＢの外側のＰＲＢ上に配置され得る。いくつかの実施形態において、そのようなＮＢ‐ＩｏＴのためのＮＢ‐ＩｏＴキャリアは、ＬＴＥシステムの７２個の中央サブキャリアの外側、または、ＬＴＥシステムの中央サブキャリアと一致する様々なＰＲＢ（中央の６個のＰＲＢ、または、中央の７個のＰＲＢであり得る）の外側に位置し得る。
【００３８】
ｅＮＢの観点から、複数のＮＢがＮＢ‐ＩｏＴシステムに利用可能であり得るいくつかの実施形態において、利用可能なＤＬ  ＮＢの１つは、少なくともＮＢ同期チャネル（ＮＢ‐ＳＣＨ）を伝送するために使用され得る。ＮＢ‐ＳＣＨを搬送するＮＢは、一次ＮＢとして指定され得るか、または、代替的に、アンカーＮＢとして指定され得る。ＣＩｏＴデバイスは、時間周波数同期およびＮＢ‐ＭＩＢを一次ＮＢ上の伝送から取得し得る。
【００３９】
また、一次ＮＢは、ＮＢマスター情報ブロック（ＮＢ‐ＭＩＢ）を搬送する少なくともＮＢ物理ブロードキャストチャネル（ＮＢ‐ＰＢＣＨ）を追加的に伝送するために使用され得る。ＮＢ‐ＭＩＢは（これらに限定されないが）、利用可能なＤＬ  ＮＢの数、および、帯域幅におけるそれらの位置（例えば、規定された最大ＬＴＥ帯域幅構成における位置、例えば、２０ＭＨｚの最大値ＬＴＥ帯域幅に対応する１１０ＰＲＢなど）と、一次ＮＢの位置に対するオフセットとして表現される、利用可能な追加的なＤＬ  ＮＢの位置の数（単一の一次ＮＢが規定されている場合）と、ＮＢシステムフレーム数（ＮＢ‐ＳＦＮ）の少なくとも部分的な指示（例えば、４ビットなどの、ＮＢ‐ＳＦＮを識別するビット数）と、進化型ノードＢ（ｅＮＢ）がＤＬ伝送のために使用するアンテナの数に関する黙示的または明示的な情報と、レガシーＬＴＥ  ＳＩＢ１と同様である、基本ＮＢシステム情報（ＳＩ）の伝送のための少なくとも部分的なスケジューリングおよびリソース割り当て情報とを含み得る。そのような情報は、一次ＮＢに関するＮＢインデックスまたはオフセット（ナローバンドシステム情報ブロック（ＮＢ‐ＳＩＢ）も一次ＮＢにおいて伝送されない場合）と、ＮＢシステム情報ブロックタイプ１（ＮＢ‐ＳＩＢ１）伝送についての時間オフセットおよび／または周期と、ＮＢ‐ＳＩＢ１の伝送に使用される変調および符号化スキーム（ＭＣＳ）ならびに／またはトランスポートブロックサイズ（ＴＢＳ）（代替的に、スケジューリングおよびリソース割り当て情報のいくつかは、仕様によって固定され得る）と、ＮＢ‐ＩｏＴがスタンドアロンで展開されるか、または、レガシーＬＴＥシステムと共存して展開されるかについての指示（例えば、値「１」を有するＮＢ‐ＩｏＴデプロイメントビットは、レガシーＬＴＥシステムと共存して展開されるＮＢ‐ＩｏＴを示し得て、この場合、ＤＬ  ＮＢ‐ＩｏＴ領域は、例えば図１に示されるように、レガシーＬＴＥ広帯域制御領域の外側に規定され得て、一方、「０」の値を有するＮＢ‐ＩｏＴデプロイメントビットは、スタンドアロン方式で展開されるＮＢ‐ＩｏＴを示し得て、この場合、ＤＬ  ＮＢ‐ＩｏＴ領域は、１つの完全なサブフレームに及び得る）とを含み得る。この文脈において、「スタンドアロン」方式で展開されるＮＢ‐ＩｏＴキャリアは、ＬＴＥシステム帯域幅において展開されないＮＢ‐ＩｏＴキャリアを含み得る。例えば、上で説明されるように、そのようなＮＢ‐ＩｏＴキャリアは、リファーミングおよび／もしくは再利用されたＧＳＭ（登録商標）キャリア上に、または、ＬＴＥガードバンド内に展開され得る。
【００４０】
利用可能なＤＬ  ＮＢの数、および、帯域幅におけるそれらの位置の指示に関して、ＬＴＥシステムＢＷにおいて展開されるＮＢ‐ＩｏＴについては、ＮＢ‐ＭＩＢは、ＤＬ  ＬＴＥシステムＢＷの指示をそれ自体で提供し得る。ＮＢ‐ＭＩＢは、ＬＴＥシステムＢＷの一部分に対するオフセット（例えば、ＬＴＥシステムＢＷの最低周波数に対するオフセット）として表現され得る、一次ＮＢの位置も提供し得る。次に、他のＤＬ  ＮＢ‐ＩｏＴについての情報は、ＬＴＥシステムＢＷにおける一次ＮＢの位置に関して示され得る。代替的に、他のＤＬ  ＮＢ‐ＩｏＴについての情報は、（複数の一次ＮＢを有する実施形態についてなどの）ＬＴＥシステムＢＷにおける、ＰＲＢのインデックスに関して示され得る。
【００４１】
ＮＢ‐ＳＦＮの指示に関して、上で言及したように、いくつかの実施形態は、ＵＬのために、３．７５または２．５ｋＨｚなどの、より小さいサブキャリア間隔を使用し得る。より小さいサブキャリア間隔が使用される場合、ＤＬスケジューリング時間粒度とＵＬスケジューリング時間粒度との間の合わせられたタイミング関係を維持するために、ＤＬについてのリソース割り当ておよびフレーム構造は、ＮＢ「サブフレーム（ＳＦ）グループ」（ＮＢ‐ＳＦ）に基づき得る。ＮＢ‐ＳＦは、ＤＬサブフレーム（例えば、ＬＴＥサブフレーム）の整数、および、ＵＬサブフレーム（例えば、ＮＢサブフレーム）の整数の両方を含み得る。次に、ＮＢ無線フレームは、１０個のＮＢ‐ＳＦを含み得る。
【００４２】
例えば、ＤＬについてのサブキャリア間隔が１５ｋＨｚであり、ＵＬについてのサブキャリア間隔が３．７５ｋＨｚである場合、ＮＢ‐ＳＦは、４個のＬＴＥ  ＤＬサブフレーム（および１個のＵＬサブフレーム）を含み得る。ＮＢ‐ＳＦは、４ミリ秒の累積期間を有し得て、４ミリ秒のＮＢ‐ＳＦに基づくＮＢ無線フレームの方は、４０ミリ秒の累積期間を有し得る。別の例として、ＤＬについてのサブキャリア間隔が１５ｋＨｚであり、ＵＬについてのサブキャリア間隔が２．５ｋＨｚである場合、ＮＢ‐ＳＦは、６個のＬＴＥ  ＤＬサブフレーム（および１個のＵＬサブフレーム）を含み得る。ＮＢ‐ＳＦは、６ミリ秒の累積期間を有し得て、６ミリ秒のＮＢ‐ＳＦに基づくＮＢ無線フレームの方は、６０ミリ秒の累積期間を有し得る。
【００４３】
ＣＩｏＴデバイスは、同期またはＮＢ‐ＭＩＢ情報を再取得するため、時々、一次ＮＢに再調整し得る。例えば、ＣＩｏＴデバイスは、ディープスリープから起動した後、一次ＮＢに再調整し得る。一次ＮＢは、ネットワークにおけるすべてのセルについて共通であり得て、ＵＥは、近隣セルについての無線リソース管理（ＲＲＭ）機能の目的のために、一次ＮＢに再調整し得る。
【００４４】
複数のＮＢがシステムレベルでＮＢ‐ＩｏＴのために利用可能であり得る他の実施形態において、ＮＢ‐ＳＣＨおよび／またはＮＢ‐ＰＢＣＨが単一のＤＬ  ＮＢ上で伝送される代わりに、ＮＢ‐ＳＣＨおよび／またはＮＢ‐ＰＢＣＨは、（利用可能なすべてのＤＬ  ＮＢの数を含み、最大値でその値である）複数のＤＬ  ＮＢ上で伝送され得る。この技法は、システムのオーバーヘッドを高め得るが、有利なことに、ＵＥの複雑性と、ＮＢ‐ＳＣＨおよび／またはＮＢ‐ＰＢＣＨについて一次ＮＢをモニタリングする必要性との両方を最小化し得る。
【００４５】
そのような実施形態において、一次ＮＢに対してではなく、絶対的な方式でＤＬ  ＮＢのインデックス化が実行され得る。加えて、複数のＤＬ  ＮＢにわたるＮＢ‐ＳＣＨおよびＮＢ‐ＰＢＣＨについての様々な時間‐位置は、利用可能なＮＢの数の関数であり得る、交互のパターンに従い得る。これは、有利にも、同期およびＳＩの高速な取得および／または再取得を容易にし得る。
【００４６】
様々な実施形態において、ＮＢ‐ＳＣＨおよびＮＢ‐ＰＢＣＨ伝送に関するＮＢの位置は、規定されたチャネルラスターに合わせられ得る。例えば、一次ＮＢの可能な位置は、ＬＴＥについて現在規定されている１００ｋＨｚチャネルラスターに合わせられた位置であり得る。チャネルラスターに合わせられることは、規定された、または、そうでなければ予め定められたオフセット範囲（偶数のＬＴＥシステム帯域幅については、±２．５ｋＨｚのオフセット、または、奇数のＬＴＥシステム帯域幅については、±７．５ｋＨｚのオフセットなど）内のラスター境界に合わせられることを含み得る。この方式でＮＢの位置を合わせることは、有利なことに、ＮＢ‐ＳＣＨおよびＮＢ‐ＰＢＣＨ伝送に関するＮＢ（一次ＮＢなど）の位置調整を容易にし得る。なぜなら、ＣＩｏＴデバイスは、ＮＢ‐ＳＣＨおよびＮＢ‐ＰＢＣＨ伝送を取得するために、規定されたチャネルラスターをスキャンし得るからである。ＬＴＥガードバンドにおいて展開されるＮＢ‐ＩｏＴのためのＣＩｏＴデバイスは、同様の方式で、規定されたチャネルラスターをスキャンし得る。
【００４７】
［ＤＬおよびＵＬ伝送についてのスケジューリングの選択肢］
【００４８】
ＮＢ‐ＳＦごとに実行されるＤＬおよびＵＬスケジューリングは、有利なことに、ＤＬ伝送とＵＬ伝送との間の合わせられたタイミング関係を維持し得るか、または、ＤＬおよびＵＬについて別々の最小のスケジューリング期間に従い得る。例えば、上で説明したように、ＮＢ‐ＳＦは、４ミリ秒の累積期間、もしくは、ＵＬにおける３．７５ｋＨｚのサブキャリア間隔に対応するその倍数、または、６ミリ秒の累積期間、もしくは、ＵＬにおける２．５ｋＨｚのサブキャリア間隔に対応するその倍数を有し得て、一方、ＤＬについては、ＮＢ‐ＳＦは、レガシーＬＴＥサブフレームと実質的に同一の期間（例えば、１ミリ秒）に及び得る。
【００４９】
時間領域において、ＤＬスケジューリングは、ＮＢ物理ダウンリンク制御チャネル（ＮＢ‐ＰＤＣＣＨ）伝送に基づく、クロスＮＢ‐ＳＦスケジューリングおよび同一のＮＢ‐ＳＦスケジューリングの両方をサポートし得る。（ＮＢ‐ＰＤＣＣＨ伝送の方は、レガシーＬＴＥ  ＰＤＣＣＨ、または、リリース１３ＭＴＣワークアイテムの一部としてリリース１３において規定される、ＭＴＣのためのＰＤＣＣＨ（Ｍ‐ＰＤＣＣＨ）のいずれかに基づき得る。）クロスＮＢ‐ＳＦスケジューリングについては、ｎ番のＮＢ‐ＳＦにおけるＮＢ‐ＰＤＣＣＨは、ｎ＋ｋ（ｋは１より大きいか、１に等しい）番のＮＢ‐ＳＦにおけるＮＢ物理ダウンリンク共有チャネル（ＮＢ‐ＰＤＳＣＨ）をスケジューリングし得る。いずれの場合も、ＮＢ‐ＰＤＣＣＨおよびＮＢ‐ＰＤＳＣＨは、同一のＮＢ‐ＳＦにおける時分割多重（ＴＤＭ）であり得て、その結果、ＮＢ‐ＰＤＣＣＨは、時間において、連続的な、または、非連続的なｘミリ秒を占有し得て、ＮＢ‐ＰＤＳＣＨは、時間において、Ｙ‐ｘミリ秒を占有し得る（ＮＢ‐ＳＦの長さはＹミリ秒であり、ｘはＹより小さいか、Ｙに等しい）。
【００５０】
例えば、ｘミリ秒は、ｘ個のＬＴＥサブフレーム（ＳＦ）に対応し得る。ｘの値は、仕様によって固定され得るか、または、ＮＢ物理制御形式インジケータチャネル（ＮＢ‐ＰＣＦＩＣＨ）を使用して動的に指示され得る。いくつかの実施形態において、単一のＬＴＥ  ＳＦにおいて１から６個のＰＲＢを占有し得る、（同様に、２０１０年１月２２日に締結された、リリース１１のＥＰＤＣＣＨ設計に基づく）リリース１３に係るＭ‐ＰＤＣＣＨは、時間の次元において拡散され得て、１ミリ秒から６ミリ秒、および、単一のＰＲＢを占有し得る。
【００５１】
ＵＬスケジューリングについては、周波数分割複信（ＦＤＤ）に基づく動作を想定すると、ｎ番のＮＢ‐ＳＦにおけるＮＢ‐ＰＤＣＣＨは、ｎ＋ｊ（ｊは、２より大きいか、または、２に等しい）番のＮＢ‐ＳＦにおけるＮＢ‐ＰＵＳＣＨをスケジューリングし得る。これは、有利なことに、ＵＬタイミングアドバンス（ＴＡ）、および、単に半二重ＦＤＤ（ＨＤ‐ＦＤＤ）をサポートし得るＣＩｏＴデバイスについての追加的なＤＬ‐ＵＬ切り替え時間の両方に対応し得る。
【００５２】
ＤＬおよびＵＬの両方について、ハイブリッド自動再送要求（ＨＡＲＱ）タイミングは、ＮＢ‐ＳＦの粒度で規定され得る。例えば、ｍ番のＮＢ‐ＳＦにおいて受信されるＮＢ‐ＰＤＳＣＨの直近の反復に対応するＨＡＲＱ‐ＡＣＫフィードバック（すなわち、ｍ番のＮＢ‐ＳＦが、もっとも最近にスケジューリングされたＮＢ‐ＰＤＳＣＨトランスポートブロックの最後のサブフレームである）は、ｍ＋ｋＨＡＲＱ（ｋＨＡＲＱは、２から４であり得る）番のＮＢ‐ＳＦにおいて、ＵＬ上で伝送され得る。
【００５３】
図３は、いくつかの実施形態に係る、ＮＢ‐ＩｏＴについての、ＤＬハイブリッド自動再送要求（ＨＡＲＱ）タイミングの例を示す。ＮＢ‐ＩｏＴ伝送シーケンス３００は、ＤＬサブフレームシーケンス３１０およびＵＬ  ＮＢ‐ＳＦシーケンス３２０を含み得る。示されているように、６個のＬＴＥ  ＤＬサブフレームは、ＵＬにおける、より小さい２．５ｋＨｚのサブキャリア間隔に関して上で説明したように、１つのＮＢ‐ＩｏＴ  ＮＢ‐ＳＦに対応し得る。ＮＢ‐ＩｏＴ伝送シーケンス３００は、０から５の番号が付けられた、６個のＮＢ‐ＳＦを含み得る。
【００５４】
クロスＮＢ‐ＳＦスケジューリングの例において、ＮＢ‐ＰＤＣＣＨ３３０は、ＮＢ‐ＰＤＣＣＨ３３０の後に１個のＮＢ‐ＳＦを伝送するために、ＮＢ‐ＰＤＳＣＨ３４０をスケジューリングし得る。対応するＮＢ‐ＰＵＣＣＨまたはＮＢ‐ＰＵＳＣＨ３５０は、その後、ＮＢ‐ＰＤＳＣＨ３４０のためのＡＣＫ／ＮＡＣＫ情報を搬送し得る。ＮＢ‐ＰＤＳＣＨ３４０と、対応するＨＡＲＱ  ＡＣＫ／ＮＡＣＫフィードバックとの間隔は、４ＮＢ‐ＳＦであり得る（上で説明したように、２から４であるｋＨＡＲＱが、４であることを示唆する）。
【００５５】
図４は、いくつかの実施形態に係る、ＮＢ‐ＩｏＴについてのＵＬ  ＨＡＲＱタイミングの例を示す。ＮＢ‐ＩｏＴ伝送シーケンス４００は、ＤＬサブフレームシーケンス４１０およびＵＬ  ＮＢ‐ＳＦシーケンス４２０を含む。この場合も、６個のＤＬサブフレームは、１つのＵＬ  ＮＢ‐ＳＦに対応する。ＮＢ‐ＩｏＴ伝送シーケンス４００は、この図において、上の行から開始して下の行へ続くように示され、０から８の番号が付けられた９個のＮＢ‐ＳＦを含む。
【００５６】
この例において、ＮＢ‐ＰＤＣＣＨ４３０は、０番のＮＢ‐ＳＦにおいて伝送され得て、対応するＮＢ‐ＰＵＳＣＨ４５０は、４番のＮＢ‐ＳＦにおいて伝送され得て、２つの間には、４個のＮＢ‐ＳＦの間隔が生じる（上で説明したように、２より大きいｊが、４であることを示唆する）。さらに、ＮＢ‐ＰＤＣＣＨ４６０は、その後、ＮＢ‐ＰＵＳＣＨ４５０のためのＡＣＫ／ＮＡＣＫ情報を搬送し得る。ＮＢ‐ＰＵＳＣＨ４５０と、対応するＡＣＫ／ＮＡＣＫフィードバックとの間の間隔は、少なくとも４ＤＬ  ＮＢ‐ＳＦであり得る（上で説明したように、２から４であるｋＨＡＲＱが、４であることを示唆する）。この例において、ＮＢ‐ＰＤＣＣＨ４６０はＡＣＫ／ＮＡＣＫ情報を搬送し得るが、様々な実施形態において、ＮＢ物理  ＨＡＲＱインジケータチャネル（ＮＢ‐ＰＨＩＣＨ）を使用してＵＬ  ＡＣＫ／ＮＡＣＫ情報を搬送するなど、他の機構が採用され得る。
【００５７】
また、単一のＮＢダウンリンク制御情報（ＮＢ‐ＤＣＩ）が複数のＮＢ‐ＳＦについてのＤＬ割り当てまたはＵＬグラントを示し得るマルチＮＢ‐ＳＦスケジューリングが、制御オーバーヘッドを最小化するためにサポートされ得る。ＤＬユニキャストおよびＵＬユニキャストの両方についての、または、単にＤＬブロードキャストについての最大ＴＢＳ値は、１０００ビットなど、何らかのビット数に設定され得る。マルチＮＢ‐ＳＦ割り当ての一部としてスケジューリングされる複数のＮＢ‐ＳＦは、ＮＢ‐ＤＣＩにおいて示されるように、単一のＴＢの反復、または、複数の異なるＴＢの受信および／もしくは伝送のいずれかのために使用され得る。
【００５８】
一例において、ＮＢ‐ＤＣＩは、ＤＬ割り当てまたはＵＬグラントについて、それぞれ受信および／または伝送されるＴＢの数を明示的に示し得る。別の例として、ＮＢ‐ＤＣＩにおける１ビットフィールドは、同一のＴＢまたは異なるＴＢのうちどちらが、割り当てられたＮＢ‐ＳＦ上で伝送されるべきかを示し得る。
【００５９】
［周波数ホッピングおよび周波数選択スケジューリング］
【００６０】
周波数領域において、単一の２００ｋＨｚのＮＢにおけるＮＢ‐ＩｏＴデプロイメントのためのＮＢ‐ＰＤＳＣＨおよびＮＢ‐ＰＵＳＣＨリソースは、同一の２００ｋＨｚのＮＢに制限され得る。しかしながら、複数のＮＢを伴うＮＢ‐ＩｏＴデプロイメントは、ＮＢ‐ＰＤＳＣＨおよびＮＢ‐ＰＵＳＣＨのための、周波数ホッピング（ＦＨ）および周波数選択スケジューリングなどの技法をサポートし得る。
【００６１】
ＦＨの下で、ＵＥデバイスまたはＣＩｏＴデバイスは、ＦＨパターンに従って、確立された異なるＮＢに再調整する前に、１または複数のＮＢ‐ＳＦのための特定のＮＢ上で受信または伝送し得る。ＦＨパターンの構成は、ＳＩの一部として示され得て、セル固有であり得る。ＦＨを通したＮＢ割り当ては、有利なことに、（特に、カバレッジ拡張のために伝送が反復される場合において）周波数ダイバーシティという恩恵を提供し得て、有利なことに、ネットワークが、利用可能なＮＢ全体にわたってシステム負荷をより均一に分散させることを可能にし得る。
【００６２】
いくつかの実施形態において、ＦＨパターンは、ＮＢ‐ＳＦＮに対するＮＢ位置およびホッピングパターンに関する情報を含み得る。例えば、ＦＨパターンは、ＵＥデバイスまたはＣＩｏＴデバイスがモニタリングし、および／または、その上で伝送し得るＮＢ‐ＳＦの数、ならびに、ＦＨに起因する、次のＮＢの相対的位置を含み得る。ＦＨパターンは、利用可能なＮＢの合計数の関数として指定され得て、ＳＩの一部として示され得る。その後、ＵＥがホップし得る先のＮＢの厳密なパターンが、参照ＮＢに対する、特定のＮＢの位置に基づいて、および／または、参照ＮＢ‐ＳＦＮ（例えば、０番のＮＢ‐ＳＦＮ）に対する、現在のＮＢ‐ＳＦＮに基づいて判定され得る。
【００６３】
図５は、いくつかの実施形態に係る、ＬＴＥシステム帯域幅における複数のナローバンドにわたる周波数ホッピングパターンを示す。ＦＨパターン５００については、ＬＴＥシステム帯域幅５１０は、複数のＮＢ５２０を包含し得る。ＵＥデバイスまたはＣＩｏＴデバイスは次に、時間と共に１つのＮＢ周波数帯域から別のＮＢ周波数帯域にホップするために、複数の次のＮＢインジケータ５３０に従い得る。
【００６４】
いくつかの実施形態において、異なるＵＥデバイスもしくはＣＩｏＴデバイス、または、そのようなデバイスのセットは、異なるＮＢ上のＤＬ  ＮＢ‐ＳＦをモニタリングするためにグループ化され得て、デバイスとＦＨとのパターンマッピングは、無線ネットワーク一時識別子（ＲＮＴＩ）と同様のデバイス識別の関数として指定され得る。いくつかの実施形態において、ＦＨパターンは、物理セルＩＤ、サブフレーム、もしくはＮＢ‐ＳＦインデックス、および／または、デバイスＩＤのうちの１または複数の関数として規定され得る。様々な実施形態において、ＦＨパターンは、物理セルＩＤ（ＰＣＩＤ）、サブフレームもしくはＮＢ‐ＳＦインデックス、および／またはデバイスＩＤのうちの１または複数の関数として規定され得る。
【００６５】
周波数選択スケジューリングの下で、１つのＮＢにおけるＮＢ‐ＰＤＣＣＨは、異なるＮＢにおけるＮＢ‐ＰＤＳＣＨ割り当てを示し得る。さらに、周波数選択スケジューリングをサポートするＮＢ‐ＩｏＴデプロイメントは、ＣＩｏＴデバイスがＮＢ‐ＰＤＣＣＨを復号化して異なるＮＢに再調整するために十分な時間を用いてクロスＮＢ‐ＳＦスケジューリングをサポートすることから恩恵を受け得る。
【００６６】
例えば、ｎ番のＮＢ‐ＳＦにおけるＮＢ‐ＰＤＣＣＨは、ｎ＋ｋ（ｋは２より大きいか、２に等しい）番のＮＢ‐ＳＦにおけるＮＢ‐ＰＤＳＣＨをスケジューリングし得る。別の例として、ＮＢ‐ＰＤＣＣＨが、時間領域において、少なくとも２ミリ秒に及ぶ場合、１に等しい値ｋは、スケジューリングされたＮＢ‐ＰＤＳＣＨをＣＩｏＴデバイスが受信するために十分であり得る。
【００６７】
失敗したＮＢ‐ＤＣＩ復号化に起因するエラーの伝播を回避するために、周波数選択スケジューリングをサポートするＣＩｏＴデバイスが割り当てられ得て、ＮＢ‐ＰＤＣＣＨを受信するためにデフォルトＮＢをモニタリングし得る。ＣＩｏＴデバイスは次に、ＮＢ‐ＰＤＣＣＨについてデフォルトＮＢをモニタリングし得て、周波数選択的にスケジューリングされたＮＢ‐ＰＤＳＣＨを受信するために、異なるＮＢに再調整し得る。
【００６８】
ＮＢ‐ＰＤＣＣＨをモニタリングするためのデフォルトＮＢは、セル固有の方式、または、ＵＥ固有の方式で構成され得る。ＮＢ‐ＰＤＣＣＨについてのデフォルトＮＢの位置は、ＰＣＩＤおよび／またはＤＬのために利用可能なＮＢの数の関数として規定され得る、セル固有のＮＢホッピングパターンで論理的に規定され得る。また、デフォルトＮＢの位置は、ＮＢ‐ＳＣＨ、ＮＢ‐ＭＩＢ、または、ナローバンドシステム情報ブロック（ＮＢ‐ＳＩＢ）（例えば一次ＮＢ上において、動的スケジューリングなしで伝送されるＮＢ‐ＳＩＢなど）によって明示的または黙示的に示され得る他のパラメータの関数として規定され得る。
【００６９】
いくつかの実施形態において、（ＮＢ‐ＰＤＣＣＨの共通検索空間のリソース割り当てと同様である）ＮＢ‐ＰＤＣＣＨモニタリングについてのデフォルトＮＢの構成に加えて、また、少なくともユニキャストスケジューリングのためのＮＢ‐ＰＤＣＣＨについてモニタリングするためのＮＢが、ＮＢ‐ＰＤＣＣＨモニタリングのためのデフォルトＮＢ（例えば、一次ＮＢ）上のＮＢ‐ＰＤＣＣＨによってスケジューリングされる専用の無線リソース制御（ＲＲＣ）シグナリングを介して、ＵＥ固有の方式で構成され得る。
【００７０】
クロスＮＢ‐ＳＦスケジューリングをサポートする実施形態において、ＤＬ割り当てを含むＤＣＩフォーマットについては、ＮＢ‐ＰＤＳＣＨリソース割り当てのために、１個のＮＢ‐ＳＦ内のＮＢインデックスおよびサブフレームインデックスが含まれ得る。ＵＬグラントを含むＤＣＩフォーマットについては、ＮＢインデックスおよびサブキャリア／サブキャリアブロックインデックスが、ＮＢ‐ＰＵＳＣＨリソース割り当てのために含まれ得る。
【００７１】
拡張カバレッジを提供するために、ＮＢ‐ＰＤＳＣＨおよび／またはＮＢ‐ＰＵＳＣＨは、冗長バージョン（ＲＶ）を使用して、または、ＲＶのセットを循環させることによって、伝送反復または再伝送をサポートし得る。伝送反復または再伝送の数は、ユニキャストメッセージの受信または伝送についてのレイヤ１制御を使用することによって、または、ＣＩｏＴデバイスの反復レベルもしくはカバレッジレベルにマッピングされることによって、または、ＣＩｏＴデバイスの各反復レベルもしくはカバレッジレベルにマッピングされた値のセットの中から動的にシグナリングするなどのハイブリッド型の方法によって、動的に示され得る。
【００７２】
図６は、いくつかの実施形態に係る進化型ノードＢ（ｅＮＢ）およびＮＢ‐ＩｏＴデバイスを示す。図６は、互いに、および、ＬＴＥネットワークの他の要素と共存するように動作可能であるｅＮＢ６１０およびＵＥ６３０のブロック図を含む。ｅＮＢ６１０およびＵＥ６３０の高レベルで簡略化されたアーキテクチャは、実施形態を不明瞭にしないように説明される。いくつかの実施形態において、ｅＮＢ６１０は、静的な非モバイル型のデバイスであり得ることに留意すべきである。
【００７３】
本開示の目的のために、ｅＮＢ６１０は、ＮＢ‐ＩｏＴ、または、ＣＩｏＴデバイスにサービスを提供するように動作可能な別のＮＢ‐ＬＴＥシステムであり得る。同様に、本開示の目的のために、ＵＥ６３０は、ＣＩｏＴデバイス、または、ＮＢ‐ＬＴＥシステムにおいてＮＢ‐ＩｏＴと相互運用するように動作可能な別のデバイスであり得る。
【００７４】
ｅＮＢ６１０は、１または複数のアンテナ６０５に結合され、ＵＥ６３０は同様に１または複数のアンテナ６２５に結合される。しかしながら、いくつかの実施形態において、ｅＮＢ６１０は、アンテナ６０５を組み込み得る、または、含み得て、様々な実施形態におけるＵＥ６３０は、アンテナ６２５を組み込み得るか、または、含み得る。
【００７５】
いくつかの実施形態において、アンテナ６０５および／またはアンテナ６２５は、単極アンテナ、双極アンテナ、ループアンテナ、パッチアンテナ、マイクロストリップアンテナ、共平面波アンテナ、または、ＲＦ信号の伝送に適した他のタイプのアンテナを含む１または複数の指向性または全指向性アンテナを含み得る。いくつかのＭＩＭＯ（多入力および多出力）の実施形態において、空間ダイバーシティを利用するために、アンテナ６０５は分離される。
【００７６】
ｅＮＢ６１０およびＵＥ６３０は、無線ネットワークなどのネットワーク上で互いに通信するように動作可能である。ｅＮＢ６１０およびＵＥ６３０は、ｅＮＢ６１０からＵＥへのダウンリンクパスおよびＵＥ６３０からｅＮＢ６１０へのアップリンクパスの両方を有する無線通信チャネル６５０上で互いに通信し得る。
【００７７】
図６において示されているように、いくつかの実施形態において、ｅＮＢ６１０は、物理層回路６１２、ＭＡＣ（媒体アクセス制御）回路６１４、プロセッサ６１６、メモリ６１８、およびハードウェア処理回路６２０を含み得る。当業者であれば、完全なｅＮＢを形成するために、示されているコンポーネントに加えて、示されていない他のコンポーネントが使用され得ることを理解するであろう。
【００７８】
いくつかの実施形態において、物理層回路６１２は、ＵＥとの間で信号をやり取りするためのトランシーバ６１３を含む。トランシーバ６１３は、１または複数のアンテナ６０５を使用して、ＵＥまたは他のデバイスとの間で信号をやり取りする。いくつかの実施形態において、ＭＡＣ回路６１４は、無線媒体へのアクセスを制御する。メモリ６１８は、磁気記憶媒体（例えば、磁気テープまたは磁気ディスク）、光記憶媒体（例えば、光ディスク）、電子記憶媒体（例えば、従来のハードディスクドライブ、ソリッドステートディスクドライブ、またはフラッシュメモリベースの記憶媒体）、または、任意の有形の記憶媒体もしくは非一時的記憶媒体などの、１または複数の記憶媒体であり得るか、当該記憶媒体を含み得る。ハードウェア処理回路６２０は、様々な動作を実行するための論理デバイスまたは回路を含み得る。いくつかの実施形態において、プロセッサ６１６およびメモリ６１８は、ｅＮＢ６１０および／またはハードウェア処理回路６２０における論理デバイスおよび回路に関連して本明細書において説明した動作などの、ハードウェア処理回路６２０の動作を実行するように構成される。
【００７９】
図６においても示されているように、いくつかの実施形態において、ＵＥ６３０は、物理層回路６３２、ＭＡＣ回路６３４、プロセッサ６３６、メモリ６３８、ハードウェア処理回路６４０、無線インタフェース６４２、およびディスプレイ６４４を含み得る。当業者であれば、完全なＵＥを形成するために、示されているコンポーネントに加えて、示されていない他のコンポーネントが使用され得ることを理解するであろう。
【００８０】
いくつかの実施形態において、物理層回路６３２は、ｅＮＢ６１０（および他のｅＮＢ）との間で信号をやり取りするためのトランシーバ６３３を含む。トランシーバ６３３は、１または複数のアンテナ６２５を使用して、ｅＮＢまたは他のデバイスとの間で信号をやり取りする。いくつかの実施形態において、ＭＡＣ回路６３４は、無線媒体へのアクセスを制御する。メモリ６３８は、磁気記憶媒体（例えば、磁気テープまたは磁気ディスク）、光記憶媒体（例えば、光ディスク）、電子記憶媒体（例えば、従来のハードディスクドライブ、ソリッドステートディスクドライブ、またはフラッシュメモリベースの記憶媒体）、または、任意の有形の記憶媒体もしくは非一時的記憶媒体などの、１または複数の記憶媒体であり得るか、それらを含み得る。無線インタフェース６４２は、プロセッサが別のデバイスと通信することを可能にするように構成され得る。ディスプレイ６４４は、ユーザがＵＥ６３０とインタラクトするように、タッチスクリーンディスプレイなどの視覚的および／または触覚的なディスプレイを提供し得る。ハードウェア処理回路６４０は、様々な動作を実行するための論理デバイスまたは回路を含み得る。いくつかの実施形態において、プロセッサ６３６およびメモリ６３８は、ＵＥ６３０および／またはハードウェア処理回路６４０における論理デバイスおよび回路に関連して本明細書において説明した動作などの、ハードウェア処理回路６４０の動作を実行するように構成され得る。
【００８１】
同一の名前または参照番号を有する、図６の要素、および、他の図の要素は、任意のそのような図に関して本明細書において説明した方式で動作または機能できる（ただし、そのような要素の動作および機能は、そのような説明に限定されない）。例えば、図７、８、および１１はまた、ｅＮＢ、ｅＮＢのハードウェア処理回路、ＵＥ、および／または、ＵＥのハードウェア処理回路の実施形態を示し、図６、ならびに図７、８および１１に関して説明した実施形態は、図のいずれかに関して本明細書において説明した方式で動作または機能できる。
【００８２】
加えて、ｅＮＢ６１０およびＵＥ６３０は各々、複数の別個の機能要素を有しているものとして説明されるが、機能要素のうちの１または複数が組み合わされ得て、ソフトウェアによって構成される要素および／または他のハードウェア要素の組み合わせによって実装され得る。本開示のいくつかの実施形態において、機能要素は、１または複数の処理要素上で動作している１または複数の処理を参照することができる。ソフトウェアおよび／またはハードウェアによって構成される要素の例には、デジタル信号プロセッサ（ＤＳＰ）、１または複数のマイクロプロセッサ、ＤＳＰ、フィールドプログラマブルゲートアレイ（ＦＰＧＡ）、特定用途向け集積回路（ＡＳＩＣ）、および無線周波数集積回路（ＲＦＩＣ）などが含まれる。
【００８３】
図７は、いくつかの実施形態に係る、ＮＢ‐ＩｏＴ動作のための、ｅＮＢのハードウェア処理回路を示す。ハードウェア処理回路７００は、様々な動作を実行するように動作可能な論理デバイスおよび／または回路を含み得る。例えば、図６および７に関して、ｅＮＢ６１０（または、ハードウェア処理回路６２０など、その中の様々な要素もしくはコンポーネント、または、その中の要素もしくはコンポーネントの組み合わせ）は、ハードウェア処理回路７００の一部またはすべてを含み得る。いくつかの実施形態において、プロセッサ６１６およびメモリ６１８（および／またはｅＮＢ６１０の他の要素もしくはコンポーネント）は、ハードウェア処理回路７００におけるデバイスおよび回路に関して本明細書において説明される動作などの、ハードウェア処理回路７００の動作を実行するように構成され得る。例えば、ハードウェア処理回路７００の１または複数のデバイスまたは回路は、ソフトウェアによって構成される要素および／または他のハードウェア要素を組み合わせることによって実装され得る。
【００８４】
いくつかの実施形態において、ハードウェア処理回路７００は、（無線通信チャネル６５０などの）無線通信チャネル上での様々な伝送を提供するように動作可能な１または複数のアンテナポート７０５を含み得る。アンテナポート７０５は、（アンテナ６０５であり得る）１または複数のアンテナ７０７に結合され得る。いくつかの実施形態において、ハードウェア処理回路７００は、アンテナ７０７を組み込み得て、一方、他の実施形態において、ハードウェア処理回路７００は、単に、アンテナ７０７に結合され得る。
【００８５】
アンテナポート７０５およびアンテナ７０７は、ｅＮＢからの信号を無線通信チャネルおよび／またはＵＥに提供するように動作可能であり得て、ＵＥおよび／または無線通信チャネルからの信号をｅＮＢに提供するように動作可能であり得る。例えば、アンテナポート７０５およびアンテナ７０７は、ｅＮＢ６１０からの伝送を無線通信チャネル６５０に（および、そこからＵＥ６３０または別のＵＥに）提供するように動作可能であり得る。同様に、アンテナ７０７およびアンテナポート７０５は、無線通信チャネル６５０からの（および、それに加えて、ＵＥ６３０または別のＵＥからの）伝送をｅＮＢ６１０に提供するように動作可能であり得る。
【００８６】
ｅＮＢ６１０（または、別のｅＮＢもしくは基地局）の装置は、無線ネットワーク上のＵＥと通信するように動作可能であり得て、ハードウェア処理回路７００を含み得る。いくつかの実施形態において、ｅＮＢ（または、他の基地局）は、アプリケーションプロセッサ、メモリ、１または複数のアンテナポート、および、アプリケーションプロセッサが別のデバイスと通信することを可能にするインタフェースを含むデバイスであり得る。
【００８７】
図７に関して、ハードウェア処理回路７００は、第１回路７１０、第２回路７２０、および第３回路７３０を含み得る。第１回路７１０は、ナローバンドシステム情報（ＮＢ‐ＳＩ）のセットを含む第１ＣＩｏＴデバイスのための第１伝送を提供するように動作可能であり得る。ＮＢ‐ＳＩのセットは、複数のＣＩｏＴデバイスを対象とし得る。第１伝送は、第１伝送インタフェース７１５上で、第３回路７３０に提供され得る。第２回路７２０は、ＮＢ‐ＳＩのセットを含む、第２ＣＩｏＴデバイスのための第２伝送を提供するように動作可能であり得る。第２伝送は、例えば、第１伝送に含まれるものと同一のシステム情報のセットを含む。第２伝送は、第２インタフェース７２５上で、第３回路７３０に提供され得る。
【００８８】
第３回路７３０は、第１ＮＢ無線通信チャネル上で第１伝送を伝送するように、および、第２ＮＢ無線通信チャネル上で第２伝送を伝送するように動作可能であり得る。第３回路７３０は、アンテナポート７０５およびアンテナ７０７を通して様々な伝送を伝送し得る。いくつかの実施形態において、第３回路７３０は、一次ＮＢ無線通信チャネル上で、ＮＢ‐ＰＢＣＨ伝送を伝送するように動作可能であり得る。
【００８９】
いくつかの実施形態において、第３回路７３０および／またはｅＮＢ６１０は、無線通信システム帯域幅における周波数リソースのセットに対応するサブキャリアのセット上で、ＬＴＥ  ＰＳＳ伝送およびＳＳＳ伝送のうち少なくとも１つを伝送するように動作可能であり得る。そのような実施形態において、第１ＮＢ無線通信チャネルおよび第２ＮＢ無線通信チャネルは、周波数リソースのセットの外側の無線通信システム帯域幅の部分に対応し得る。いくつかの実施形態において、第１ＮＢ無線通信チャネルおよび第２ＮＢ無線通信チャネルは、ＬＴＥシステム帯域幅における周波数リソースを使用することによって、１または複数のＣＩｏＴデバイスへ伝送され得る。第１ＮＢ無線通信チャネルおよび第２ＮＢ無線通信チャネルは、ＰＳＳ伝送および／またはＳＳＳ伝送に使用されるサブキャリアのセットの外側の周波数帯域のセットに対応し得る。
【００９０】
いくつかの実施形態において、第１ＮＢ無線通信チャネルは、一次ＮＢ無線通信チャネルであり得て、第１回路７１０は、ＮＢ‐ＳＣＨ伝送を提供するように動作可能であり得て、第３回路７３０は、一次ＮＢ無線通信チャネル上でＮＢ‐ＳＣＨ伝送を伝送するように動作可能であり得る。
【００９１】
ハードウェア処理回路７００のいくつかの実施形態について、第１回路７１０は、利用可能なＤＬ  ＮＢ無線通信チャネルの数と、利用可能なＮＢ無線通信チャネルの各々のＬＴＥ無線通信システム帯域幅における位置と、ｅＮＢによるＤＬ伝送のための利用可能なアンテナの数と、ＮＢ‐ＳＩＢ１のための少なくとも部分的なスケジューリングおよびリソース割り当て情報と、少なくとも１つのＮＢ無線通信チャネルを、ＬＴＥ無線通信システム帯域幅において展開される帯域内チャネル、または、ＬＴＥ無線通信システム帯域幅の外側に展開されるスタンドアロンのチャネルのうちの１つとして識別するインジケータとのうち少なくとも１つを含むように構成されるＮＢ‐ＭＩＢを搬送するＮＢ‐ＰＢＣＨ伝送を提供するように動作可能であり得る。いくつかの実施形態について、ＬＴＥ無線通信システム帯域幅は、周波数において連続する、最大で１００のＬＴＥ  ＰＲＢを有し得る。
【００９２】
様々な実施形態について、第１回路７１０は、第１ＣＩｏＴデバイスのための次の伝送を提供するように動作可能であり得る。そのような実施形態において、第３回路７３０は、予め定められた周波数ホッピングパターンに従って判定される、第１ＮＢ無線通信チャネルとは異なるＮＢ無線通信チャネル上で次の伝送を伝送するように動作可能であり得る。そのような実施形態において、ハードウェア処理回路７００は、複数の利用可能なＮＢの間で、ＦＨパターンを実装するように動作可能であり得る。
【００９３】
いくつかの実施形態について、第１回路７１０は、第１ＮＢ無線通信チャネルとは異なる第２ＮＢ無線通信チャネル上のＮＢ‐ＰＤＳＣＨを示す、第１ＣＩｏＴデバイスのためのＮＢ‐ＰＤＣＣＨ伝送を提供するように動作可能であり得る。そのような実施形態について、第３回路７３０は、第１ＮＢ無線通信チャネル上でＮＢ‐ＰＤＣＣＨ伝送を伝送するように動作可能であり得る。
【００９４】
いくつかの実施形態において、第１ＮＢ無線通信チャネルは、ロングタームエボリューション（ＬＴＥ）１００ｋＨｚラスターに合わせられた一次ＮＢ無線通信チャネルであり得て、偶数のＬＴＥシステム帯域幅については、オフセットが±２．５ｋＨｚ以内、奇数のＬＴＥシステム帯域幅については、オフセットが±７．５ｋＨｚ以内である。様々な実施形態について、第１回路７１０は、ナローバンド物理ダウンリンク制御チャネル（ＮＢ‐ＰＤＣＣＨ）伝送を受信するためにデフォルトＮＢをモニタリングするように第１ＣＩｏＴデバイスを構成するために１または複数のＲＲＣ構成伝送を提供するように動作可能であり得る。いくつかの実施形態について、第３回路７３０は、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、拡張カバレッジを第１ＣＩｏＴデバイスに示すように動作可能であり得る。
【００９５】
いくつかの実施形態において、第１回路７１０、第２回路７２０、および第３回路７３０は、別個の回路として実装され得る。他の実施形態において、第１回路７１０、第２回路７２０、および第３回路７３０のうちの１または複数は、実施形態の本質を変更することなく、回路において、ともに組み合わされ、実装され得る。様々な実施形態において、プロセッサ６１６（および／または、ｅＮＢ６１０が含み得る１または複数の他のプロセッサ）は、第１回路７１０、第２回路７２０、および／または第３回路７３０の動作を実行するように構成され得る。そのような実施形態において、第１回路７１０、第２回路７２０、および／または第３回路７３０は、ソフトウェアによって構成される要素（例えば、プロセッサ６１６および／または１もしくは複数の他のプロセッサ）および／または他のハードウェア要素の様々な組み合わせによって適宜に実装され得る。様々な実施形態において、プロセッサ６１６（および／または、ｅＮＢ６１０が含み得る１もしくは複数の他のプロセッサ）は、ベースバンドプロセッサであり得る。
【００９６】
図８は、いくつかの実施形態に係る、ＮＢ‐ＩｏＴ動作のための、ＵＥのハードウェア処理回路を示す。ハードウェア処理回路８００は、様々な動作を実行するように動作可能な論理デバイスおよび／または回路を含み得る。例えば、図６および８に関して、ＵＥ６３０（または、ハードウェア処理回路６４０など、その中の様々な要素もしくはコンポーネント、または、その中の要素もしくはコンポーネントの組み合わせ）は、ハードウェア処理回路８００の一部またはすべてを含み得る。いくつかの実施形態において、プロセッサ６３６およびメモリ６３８（および／またはＵＥ６３０の他の要素もしくはコンポーネント）は、ハードウェア処理回路８００におけるデバイスおよび回路に関して本明細書において説明される動作などの、ハードウェア処理回路８００の様々な動作を実行するように構成され得る。例えば、ハードウェア処理回路８００の１または複数のデバイスまたは回路は、ソフトウェアによって構成される要素および／または他のハードウェア要素を組み合わせることによって実装され得る。
【００９７】
いくつかの実施形態において、ハードウェア処理回路８００は、（無線通信チャネル６５０などの）無線通信チャネル上での様々な伝送を提供するように動作可能な１または複数のアンテナポート８０５を含み得る。アンテナポート８０５は、（アンテナ６０５であり得る）１または複数のアンテナ８０７に結合され得る。いくつかの実施形態において、ハードウェア処理回路８００は、アンテナ８０７を組み込み得て、一方、他の実施形態において、ハードウェア処理回路８００は、単に、アンテナ８０７に結合され得る。
【００９８】
アンテナポート８０５およびアンテナ８０７は、ＵＥからの信号を無線通信チャネルおよび／またはｅＮＢに提供するように動作可能であり得て、ｅＮＢおよび／または無線通信チャネルからの信号をＵＥに提供するように動作可能であり得る。例えば、アンテナポート８０５およびアンテナ８０７は、ＵＥ６３０からの伝送を無線通信チャネル６５０に（および、そこからｅＮＢ６１０または別のｅＮＢに）提供するように動作可能であり得る。同様に、アンテナ８０７およびアンテナポート８０５は、無線通信チャネル６５０からの（および、それに加えて、ｅＮＢ６１０または別のｅＮＢからの）伝送をＵＥ６３０に提供するように動作可能であり得る。
【００９９】
ＵＥ６３０（または、別のＵＥもしくはモバイルハンドセット）の装置は、無線ネットワーク上でｅＮＢと通信するように動作可能であり得て、ハードウェア処理回路８００を含み得る。いくつかの実施形態において、ＵＥ（または他のモバイルハンドセット）は、アプリケーションプロセッサ、メモリ、１または複数のアンテナ、アプリケーションプロセッサが別のデバイスと通信することを可能にするための無線インタフェース、およびタッチスクリーンディスプレイを含むデバイスであり得る。
【０１００】
図８に関して、ハードウェア処理回路８００は、第１回路８１０および第２回路８２０を含み得る。第１回路８１０は、複数のＮＢ無線通信チャネルのうちの１つの上で、ＳＩ伝送を受信するように動作可能であり得て、周波数帯域のセットに対応するサブキャリアのセットの上で、ＰＳＳ伝送およびＳＳＳ伝送のうち少なくとも１つを受信するように動作可能であり得る。複数のＮＢ無線通信チャネルは、無線通信システム帯域幅内にあり得て、複数のＮＢ無線通信チャネルのうち少なくとも２つは、周波数帯域のセットの外側の無線通信システム帯域幅の部分に対応し得る。
【０１０１】
いくつかの実施形態において、第１回路８１０は、複数のＮＢ無線通信チャネルのうちの１つの上で、ＮＢ一次同期信号（ＮＢ‐ＰＳＳ）、ＮＢ二次同期信号（ＮＢ‐ＳＳＳ）、ＮＢ‐ＭＩＢ、および、ＮＢシステム情報ブロック（ＮＢ‐ＳＩＢ）のうちの１つを含む伝送を受信するように動作可能であり得る。
【０１０２】
第２回路８２０は、ＰＳＳ伝送およびＳＳＳ伝送のうち少なくとも１つからシステム情報を抽出するように動作可能であり得る。第１回路８１０は、インタフェース８１５上で、ＰＳＳ伝送および／またはＳＳＳ伝送を第２回路８２０に提供し得る。いくつかの実施形態において、第２回路８２０は、ＮＢ‐ＳＣＨ伝送から同期情報を抽出するように動作可能であり得る。ここで、複数のＮＢ無線通信チャネルの１つは、一次ＮＢ無線通信チャネルであり得て、第１回路８１０は、一次ＮＢ無線通信チャネル上でＮＢ‐ＳＣＨ伝送を受信するように動作可能であり得る。いくつかの実施形態において、第２回路８２０は、時間・周波数同期およびシステム情報をＮＢ‐ＰＳＳ伝送またはＮＢ‐ＳＳＳ伝送から抽出するように動作可能であり得る。
【０１０３】
いくつかの実施形態について、第２回路８２０は、情報をＮＢ‐ＭＩＢ伝送から抽出するように動作可能であり得る。そのような実施形態について、ＮＢ‐ＭＩＢ伝送は、利用可能なＤＬ  ＮＢ無線通信チャネルの数と、利用可能なＮＢ無線通信チャネルの各々の無線通信システム帯域幅における位置と、ｅＮＢによるＤＬ伝送のための利用可能なアンテナの数と、ＮＢ‐ＳＩＢ１のための少なくとも部分的なスケジューリングおよびリソース割り当て情報と、少なくとも１つのＮＢ無線通信チャネルを、無線通信システム帯域幅における帯域内チャネル、または、無線通信システム帯域幅の外側におけるスタンドアロンのチャネルのうちの１つとして識別するインジケータとのうちの１つまたは複数を含むように構成され得る。様々な実施形態において、ＬＴＥ無線通信システム帯域幅は、周波数において連続する、最大で１００のＬＴＥ  ＰＲＢを有し得る。
【０１０４】
いくつかの実施形態において、第１回路８１０は、第１ＮＢ無線通信チャネル上で第１伝送を受信するように動作可能であり得て、第２ＮＢ無線通信チャネル上で第１伝送に続く次の伝送を受信するように動作可能であり得て、第１ＮＢ無線通信チャネルは第２ＮＢ無線通信チャネルと異なる。
【０１０５】
様々な実施形態において、第１回路８１０は、第１ＮＢ無線通信チャネル上でＮＢ‐ＰＤＣＣＨ伝送を受信するように動作可能であり得る。第１回路８１０は次に、インタフェース８１５上でＮＢ‐ＰＤＣＣＨ伝送を第２回路８２０に提供し得る。第２回路８２０は、ＮＢ‐ＰＤＳＣＨ伝送についてのチャネル割り当てをＮＢ‐ＰＤＣＣＨ伝送から抽出するように動作可能であり得る。ここでは、チャネル割り当てが、第１ＮＢ無線通信チャネルと異なる第２ＮＢ無線通信チャネルを示す。そのような実施形態において、第１回路８１０は、第２ＮＢ無線通信チャネル上でＮＢ‐ＰＤＳＣＨ伝送を受信するように動作可能であり得る。
【０１０６】
いくつかの実施形態について、ＮＢ無線通信チャネルの１つは、ロングタームエボリューション（ＬＴＥ）１００ｋＨｚラスターに合わせられた一次ＮＢ無線通信チャネルであり得て、偶数のＬＴＥシステム帯域幅については、オフセットが±２．５ｋＨｚ以内、奇数のＬＴＥシステム帯域幅については、オフセットが±７．５ｋＨｚ以内である。様々な実施形態において、第１回路８１０は、ナローバンド物理ダウンリンク制御チャネル（ＮＢ‐ＰＤＣＣＨ）伝送を受信するためにデフォルトＮＢをモニタリングするように第１ＣＩｏＴデバイスを構成するための１または複数のＲＲＣ構成伝送を受信するように動作可能であり得る。いくつかの実施形態において、第２回路８２０は、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、ｅＮＢから拡張カバレッジの指示を抽出するように動作可能であり得る。
【０１０７】
いくつかの実施形態において、第１回路８１０および第２回路８２０は、別個の回路として実装され得る。他の実施形態において、第１回路８１０、および第２回路８２０のうちの１または複数は、実施形態の本質を変更することなく、回路において、ともに組み合わされ、実装され得る。様々な実施形態において、プロセッサ６３６（および／または、ＵＥ６３０が含み得る１または複数の他のプロセッサ）は、第１回路８１０および／または第２回路８２０の動作を実行するように構成され得る。そのような実施形態において、第１回路８１０および／または第２回路８２０は、ソフトウェアによって構成される要素（例えば、プロセッサ６３６および／または１もしくは複数の他のプロセッサ）および／または他のハードウェア要素の様々な組み合わせによって適宜に実装され得る。様々な実施形態において、プロセッサ６３６（および／または、ＵＥ６３０が含み得る１もしくは複数の他のプロセッサ）は、ベースバンドプロセッサであり得る。
【０１０８】
図９は、いくつかの実施形態に係る、ＮＢ‐ＩｏＴ動作についての、ｅＮＢの方法を示す。方法９００は、提供する段階９１０と、提供する段階９１５と、伝送する段階９２０と、伝送する段階９２５とを備え得る。提供する段階９１０において、システム情報のセットを含む、第１ＣＩｏＴデバイスのための第１伝送は、ｅＮＢのために提供され得る。提供する段階９１５において、システム情報のセットを含む、第２ＣＩｏＴデバイスのための第２伝送が提供され得る。伝送する段階９２０において、第１伝送は、第１ＮＢ無線通信チャネル上で伝送され得る。同様に、伝送する段階９２５において、第２伝送は、第２ナローバンドＮＢ無線通信チャネル上で伝送され得る。
【０１０９】
方法９００のいくつかの実施形態は、伝送する段階９３０を含み得る。伝送する段階９３０において、無線通信システム帯域幅における周波数帯域のセットに対応するサブキャリアのセット上のＰＳＳ伝送およびＳＳＳ伝送のうち少なくとも１つが伝送され得る。そのような実施形態において、第１ＮＢ無線通信チャネルおよび第２ＮＢ無線通信チャネルは、周波数帯域のセットの外側の無線通信システム帯域幅の部分に対応し得る。
【０１１０】
様々な実施形態において、方法９００は、提供する段階９４０および伝送する段階９４５を含み得る。提供する段階９４０において、ＮＢ‐ＳＣＨ伝送が提供され得る。そのような実施形態において、第１ＮＢ無線通信チャネルは、一次ＮＢ無線通信チャネルであり得る。伝送する段階９４５において、ＮＢ‐ＳＣＨ伝送は、一次ＮＢ無線通信チャネル上で伝送され得る。
【０１１１】
いくつかの実施形態について、方法９００は、提供する段階９５０を含み得る。提供する段階９５０において、ＮＢ‐ＭＩＢが提供され得る。ＮＢ‐ＭＩＢは、利用可能なＤＬ  ＮＢ無線通信チャネルの数と、利用可能なＮＢ無線通信チャネルの各々の無線通信システム帯域幅における位置と、ｅＮＢによるＤＬ伝送のための利用可能なアンテナの数と、ＮＢ‐ＳＩＢ１のための少なくとも部分的なスケジューリングおよびリソース割り当て情報と、少なくとも１つのＮＢ無線通信チャネルを、無線通信システム帯域幅における帯域内チャネル、または、無線通信システム帯域幅の外側におけるスタンドアロンのチャネルのうちの１つとして識別するインジケータとのうち少なくとも１つを含み得る。
【０１１２】
また、方法９００は、提供する段階９６０と、伝送する段階９６５とを備え得る。提供する段階９６０において、第１ＣＩｏＴデバイスについての次の伝送が提供され得る。伝送する段階９６５において、次の伝送は、予め定められた周波数ホッピングパターンに従って判定される、第１ＮＢ無線通信チャネルと異なるＮＢ無線通信チャネル上で伝送され得る。
【０１１３】
いくつかの実施形態において、方法９００は、提供する段階９７０と、伝送する段階９７５とを備え得る。提供する段階９７０において、第１ＣＩｏＴデバイスについてのＮＢ‐ＰＤＣＣＨ伝送が提供され得る。ＮＢ‐ＰＤＣＣＨ伝送は、第１ＮＢ無線通信チャネルと異なるＮＢ無線通信チャネル上のＮＢ‐ＰＤＳＣＨを示し得る。伝送する段階９７５において、ＮＢ‐ＰＤＣＣＨ伝送は、第１ＮＢ無線通信チャネル上で伝送され得る。
【０１１４】
図１０は、いくつかの実施形態に係る、ＮＢ‐ＩｏＴ動作についての、ＵＥの方法を示す。方法１０００は、受信する段階１０１０と、受信する段階１０１５と、抽出する段階１０２０とを備え得る。受信する段階１０１０において、複数のＮＢ無線通信チャネルのうちの１つの上でのＳＩ伝送が、セルラーＩｎｔｅｒｎｅｔ‐ｏｆ‐Ｔｈｉｎｇｓ（ＣＩｏＴ）デバイスのために受信され得る。受信する段階１０１５において、ＰＳＳ伝送およびＳＳＳ伝送のうち少なくとも１つが、周波数帯域のセットに対応するサブキャリアのセット上で受信され得る。抽出する段階１０２０において、システム情報は、ＰＳＳ伝送およびＳＳＳ伝送のうち少なくとも１つから抽出され得る。複数のＮＢ無線通信チャネルは、無線通信システム帯域幅内にあり得て、複数のＮＢ無線通信チャネルのうち少なくとも２つは、周波数帯域のセットの外側の無線通信システム帯域幅の部分に対応し得る。
【０１１５】
いくつかの実施形態において、方法１０００は、抽出する段階１０３０および受信する段階１０３５を備え得る。抽出する段階１０３０において、同期情報は、ＮＢ‐ＳＣＨ伝送から抽出され得る。複数のＮＢ無線通信チャネルのうちの１つは、一次ＮＢ無線通信チャネルであり得て、受信する段階１０３５において、ＮＢ‐ＳＣＨ伝送は、一次ＮＢ無線通信チャネル上で受信され得る。
【０１１６】
方法１０００の様々な実施形態は、抽出する段階１０４０を備え得る。抽出する段階１０４０において、情報は、ＮＢ‐ＭＩＢ伝送から抽出され得る。ＮＢ‐ＭＩＢ伝送は、利用可能なＤＬ  ＮＢ無線通信チャネルの数と、利用可能なＮＢ無線通信チャネルの各々の無線通信システム帯域幅における位置と、ｅＮＢによるＤＬ伝送のための利用可能なアンテナの数と、ＮＢ‐ＳＩＢ１のための少なくとも部分的なスケジューリングおよびリソース割り当て情報と、少なくとも１つのＮＢ無線通信チャネルを、無線通信システム帯域幅における帯域内チャネル、または、無線通信システム帯域幅の外側におけるスタンドアロンのチャネルのうちの１つとして識別するインジケータとのうちの１つまたは複数を含むように構成され得る。
【０１１７】
方法１０００のいくつかの実施形態は、受信する段階１０５０と、受信する段階１０５５とを備え得る。受信する段階１０５０において、第１伝送は、第１ＮＢ無線通信チャネル上で受信され得る。受信する段階１０５５において、第１伝送に続く次の伝送は、第２ＮＢ無線通信チャネル上で受信され得る。そのような実施形態において、第１ＮＢ無線通信チャネルは、第２ＮＢ無線通信チャネルと異なり得る。
【０１１８】
方法１０００の様々な実施形態は、受信する段階１０６０と、抽出する段階１０６５と、受信する段階１０７０とを備え得る。受信する段階１０６０において、ＮＢ‐ＰＤＣＣＨ伝送は、第１ＮＢ無線通信チャネル上で受信され得る。抽出する段階１０６５において、ＮＢ‐ＰＤＳＣＨ伝送についてのチャネル割り当ては、ＮＢ‐ＰＤＣＣＨ伝送から抽出され得て、ここでは、チャネル割り当ては、第１ＮＢ無線通信チャネルと異なる第２ＮＢ無線通信チャネルを示す。受信する段階１０７０において、ＮＢ‐ＰＤＳＣＨ伝送は、第２ＮＢ無線通信チャネル上で受信され得る。
【０１１９】
図９および１０に関連するフローチャートにおけるアクションが特定の順序で示されているが、アクションの順序は修正できる。したがって、示されている実施形態は、異なる順序で実行でき、いくつかのアクションは並行して実行され得る。図９および１０に列挙されるアクションおよび／または動作のいくつかは、特定の実施形態に係るものであり、任意である。提示されている、アクションの番号付けは、分かり易くすることを目的とするものであり、様々なアクションが発生する必要がある動作の順序を規定することを意図するものではない。加えて、様々なフローからの動作が、様々な組み合わせで利用され得る。
【０１２０】
さらに、いくつかの実施形態において、機械可読記憶媒体は、実行可能命令を有し得て、これらは実行されるとき、ｅＮＢ６１０および／またはハードウェア処理回路６２０に、方法９００を含む動作を実行させる。同様に、いくつかの実施形態において、機械可読記憶媒体は、実行可能命令を有し得て、これらは実行されるとき、ＵＥ６３０および／またはハードウェア処理回路６４０に、方法１０００を含む動作を実行させる。そのような機械可読記憶媒体は、磁気記憶媒体（例えば、磁気テープまたは磁気ディスク）、光記憶媒体（例えば、光ディスク）、電子記憶媒体（例えば、従来のハードディスクドライブ、ソリッドステートディスクドライブ、またはフラッシュメモリベースの記憶媒体）、または、他の任意の有形の記憶媒体もしくは非一時的記憶媒体のような、様々な記憶媒体のいずれかを含み得る。
【０１２１】
図１１は、いくつかの実施形態に係る、ＵＥデバイス１１００の例示的なコンポーネントを示す。いくつかの実施形態において、ＵＥデバイス１１００は、少なくとも示されているようにともに結合された、アプリケーション回路１１０２、ベースバンド回路１１０４、無線周波数（ＲＦ）回路１１０６、フロントエンドモジュール（ＦＥＭ）回路１１０８、低電力ウェイクアップレシーバ（ＬＰ‐ＷＵＲ）、および１または複数のアンテナ１１１０を備え得る。いくつかの実施形態において、ＵＥデバイス１１００は、例えば、メモリ／ストレージ、ディスプレイ、カメラ、センサ、および／または入力／出力（Ｉ／Ｏ）インタフェースなどの追加の要素を備え得る。
【０１２２】
アプリケーション回路１１０２は、１または複数のアプリケーションプロセッサを含んでよい。例えば、アプリケーション回路１１０２は、限定されないが、１または複数のシングルコアプロセッサまたはマルチコアプロセッサなどの回路を含んでよい。１または複数のプロセッサは、汎用プロセッサおよび専用プロセッサ（例えば、グラフィックプロセッサ、アプリケーションプロセッサなど）の任意の組み合わせを含んでよい。プロセッサは、メモリ／ストレージに結合されてよく、および／またはメモリ／ストレージを含んでよく、およびプロセッサは、様々なアプリケーションおよび／またはオペレーティングシステムがシステム上で実行できるようにするための、メモリ／ストレージ内に記憶された命令を実行するように構成されてよい。
【０１２３】
ベースバンド回路１１０４は、限定されないが、１または複数のシングルコアまたはマルチコアプロセッサなどの回路を含んでよい。ベースバンド回路１１０４は、ＲＦ回路１１０６の受信信号経路から受信されるベースバンド信号を処理し、ＲＦ回路１１０６の伝送信号経路のためのベースバンド信号を生成するための１または複数のベースバンドプロセッサおよび／または制御ロジックを含んでよい。ベースバンド処理回路１１０４は、ベースバンド信号の生成および処理のために、ならびに、ＲＦ回路１１０６の動作を制御するために、アプリケーション回路１１０２とインタフェース接続してよい。例えば、いくつかの実施形態において、ベースバンド回路１１０４は、第２世代（２Ｇ）ベースバンドプロセッサ１１０４ａ、第３世代（３Ｇ）ベースバンドプロセッサ１１０４ｂ、第４世代（４Ｇ）ベースバンドプロセッサ１１０４ｃ、および／または他の既存の世代、開発中の若しくは将来開発されるべき世代（例えば、第５世代（５Ｇ）、６Ｇなど）の他のベースバンドプロセッサ１１０４ｄを含んでよい。ベースバンド回路１１０４（例えば、ベースバンドプロセッサ１１０４ａ〜ｄのうちの１または複数）は、ＲＦ回路１１０６を介する１または複数の無線ネットワークとの通信を可能にする様々な無線制御機能を処理してよい。無線制御機能は、限定されないが、信号変調／復調、符号化／復号化、無線周波数偏移などを含んでよい。いくつかの実施形態において、ベースバンド回路１１０４の変調／復調回路は、高速フーリエ変換（ＦＦＴ）、プリコーディング、および／または、コンステレーションマッピング／マッピング解除機能を含んでよい。いくつかの実施形態において、ベースバンド回路１１０４の符号化／復号化回路は、畳み込み、テールバイティング畳み込み、ターボ、ビタビ、および／または、低密度パリティチェック（ＬＤＰＣ）エンコーダ／デコーダ機能を含んでよい。変調／復調およびエンコーダ／デコーダ機能の実施形態は、これらの例に限定されず、他の実施形態において他の適した機能を含んでよい。
【０１２４】
いくつかの実施形態において、ベースバンド回路１１０４は、例えば、物理（ＰＨＹ）、媒体アクセス制御（ＭＡＣ）、無線リンク制御（ＲＬＣ）、パケットデータコンバージェンスプロトコル（ＰＤＣＰ）、および／またはＲＲＣ要素を含む、例えばＥＵＴＲＡＮプロトコルの要素など、プロトコルスタックの要素を含んでよい。ベースバンド回路１１０４の中央処理装置（ＣＰＵ）１１０４ｅは、ＰＨＹレイヤ、ＭＡＣレイヤ、ＲＬＣレイヤ、ＰＤＣＰレイヤ、および／またはＲＲＣレイヤのシグナリングのために、プロトコルスタックの要素を実行するように構成されてよい。いくつかの実施形態において、ベースバンド回路は、１または複数のオーディオデジタル信号プロセッサ（ＤＳＰ）１１０４ｆを含んでよい。１または複数のオーディオＤＳＰ１１０４ｆは、圧縮／圧縮解除およびエコーキャンセルのための要素を含んでよく、他の実施形態においては、他の好適な処理要素を含んでよい。ベースバンド回路のコンポーネントは単一のチップまたは単一のチップセット内で好適に組み合わされてよく、またはいくつかの実施形態において、同一回路基板上に配置されてよい。いくつかの実施形態において、ベースバンド回路１１０４およびアプリケーション回路１１０２の構成コンポーネントのうちの一部または全部が、例えばシステムオンチップ（ＳＯＣ）などの上に一緒に実装されてよい。
【０１２５】
いくつかの実施形態において、ベースバンド回路１１０４は、１または複数の無線技術と互換性のある通信を提供してよい。例えば、いくつかの実施形態において、ベースバンド回路１１０４は、進化型ユニバーサル地上波無線アクセスネットワーク（ＥＵＴＲＡＮ）および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートし得る。ベースバンド回路１１０４が１より多くの無線プロトコルの無線通信をサポートするように構成される実施形態は、マルチモードベースバンド回路と称され得る。
【０１２６】
ＲＦ回路１１０６は、非固体媒体を通じた変調電磁放射を用いて、無線ネットワークとの通信を可能にし得る。様々な実施形態において、ＲＦ回路１１０６は、無線ネットワークとの通信を容易にするために、スイッチ、フィルタ、増幅器などを含んでよい。ＲＦ回路１１０６は受信信号経路を含んでよく、この受信信号経路はＦＥＭ回路１１０８から受信したＲＦ信号をダウンコンバートして、ベースバンド信号をベースバンド回路１１０４に提供する回路を含んでよい。ＲＦ回路１１０６は伝送信号経路も含んでよく、この伝送信号経路はベースバンド回路１１０４により提供されるベースバンド信号をアップコンバートして、伝送のためにＲＦ出力信号をＦＥＭ回路１１０８に提供する回路を含んでよい。
【０１２７】
いくつかの実施形態において、ＲＦ回路１１０６は、受信信号経路および伝送信号経路を含んでよい。ＲＦ回路１１０６の受信信号経路は、ミキサ回路１１０６ａと、増幅器回路１１０６ｂと、フィルタ回路１１０６ｃとを含んでよい。ＲＦ回路１１０６の伝送信号経路は、フィルタ回路１１０６ｃと、ミキサ回路１１０６ａとを含んでよい。ＲＦ回路１１０６は、受信信号経路および伝送信号経路のミキサ回路１１０６ａが使用する周波数を合成するためのシンセサイザ回路１１０６ｄも含んでよい。いくつかの実施形態において、受信信号経路のミキサ回路１１０６ａは、シンセサイザ回路１１０６ｄにより提供される合成周波数に基づいて、ＦＥＭ回路１１０８から受信するＲＦ信号をダウンコンバートするように構成されてよい。増幅器回路１１０６ｂは、ダウンコンバート信号を増幅するように構成されてよく、フィルタ回路１１０６ｃは、ダウンコンバート信号から不要な信号を除去して、出力ベースバンド信号を生成するように構成されたローパスフィルタ（ＬＰＦ）またはバンドパスフィルタ（ＢＰＦ）であってよい。出力ベースバンド信号は、さらに処理するためにベースバンド回路１１０４に提供されてよい。いくつかの実施形態において、出力ベースバンド信号は、ゼロ周波数のベースバンド信号であってよいが、これは要件ではない。いくつかの実施形態において、受信信号経路のミキサ回路１１０６ａはパッシブミキサを含んでよいが、実施形態の範囲はこの点において限定されない。
【０１２８】
いくつかの実施形態において、伝送信号経路のミキサ回路１１０６ａは、シンセサイザ回路１１０６ｄにより提供される合成周波数に基づいて、入力ベースバンド信号をアップコンバートして、ＦＥＭ回路１１０８用のＲＦ出力信号を生成するように構成されてよい。ベースバンド信号は、ベースバンド回路１１０４により提供されてよく、フィルタ回路１１０６ｃによりフィルタリングされてよい。フィルタ回路１１０６ｃはローパスフィルタ（ＬＰＦ）を含んでよいが、実施形態の範囲はこの点において限定されない。
【０１２９】
いくつかの実施形態において、受信信号経路のミキサ回路１１０６ａおよび伝送信号経路のミキサ回路１１０６ａは、２またはより多くのミキサを含んでよく、直交ダウンコンバージョンおよび／または直交アップコンバージョン用にそれぞれ構成されてよい。いくつかの実施形態において、受信信号経路のミキサ回路１１０６ａおよび伝送信号経路のミキサ回路１１０６ａは、２またはより多くのミキサを含んでよく、イメージ除去（例えば、ハートレー型イメージ除去）用に構成されてよい。いくつかの実施形態において、受信信号経路のミキサ回路１１０６ａおよび伝送信号経路のミキサ回路１１０６ａは、直接ダウンコンバージョンおよび／または直接アップコンバージョン用にそれぞれ構成されてよい。いくつかの実施形態において、受信信号経路のミキサ回路１１０６ａおよび伝送信号経路のミキサ回路１１０６ａは、スーパーヘテロダイン動作用に構成されてよい。
【０１３０】
いくつかの実施形態において、出力ベースバンド信号および入力ベースバンド信号はアナログベースバンド信号であってよいが、実施形態の範囲はこの点において限定されない。いくつかの代替的な実施形態において、出力ベースバンド信号および入力ベースバンド信号は、デジタルベースバンド信号であってよい。これらの代替的な実施形態において、ＲＦ回路１１０６は、アナログデジタル変換器（ＡＤＣ）回路およびデジタルアナログ変換器（ＤＡＣ）回路を含んでよく、ベースバンド回路１１０４は、ＲＦ回路１１０６と通信するためにデジタルベースバンドインタフェースを含んでよい。
【０１３１】
いくつかのデュアルモードの実施形態において、別個の無線ＩＣ回路が、各スペクトルごとの信号を処理するために提供されてよいが、本実施形態の範囲はこの点において限定されない。
【０１３２】
いくつかの実施形態において、シンセサイザ回路１１０６ｄは、フラクショナルＮシンセサイザまたはフラクショナルＮ／Ｎ＋１シンセサイザであってよいが、他のタイプの周波数シンセサイザが好適な場合があり得るので、実施形態の範囲はこの点において限定されない。例えば、シンセサイザ回路１１０６ｄは、デルタシグマ型シンセサイザ、周波数乗算器、または位相同期ループを含んだ周波数分周器付きのシンセサイザであってよい。
【０１３３】
シンセサイザ回路１１０６ｄは、周波数入力および分周器制御入力に基づいて、ＲＦ回路１１０６のミキサ回路１１０６ａが使用する出力周波数を合成するように構成されてよい。いくつかの実施形態において、シンセサイザ回路１１０６ｄは、フラクショナルＮ／Ｎ＋１シンセサイザであってよい。
【０１３４】
いくつかの実施形態において、周波数入力が電圧制御発振器（ＶＣＯ）により提供されてよいが、これは必要条件ではない。分周器制御入力は、所望の出力周波数に依り、ベースバンド回路１１０４またはアプリケーションプロセッサ１１０２のいずれかによって提供されてよい。いくつかの実施形態において、分周器制御入力（例えば、Ｎ）は、アプリケーションプロセッサ１１０２により示されるチャネルに基づいて、ルックアップテーブルから決定されてよい。
【０１３５】
ＲＦ回路１１０６のシンセサイザ回路１１０６ｄは、分周器と、遅延同期ループ（ＤＬＬ）と、マルチプレクサと、位相アキュムレータとを含んでよい。いくつかの実施形態において、分周器はデュアルモジュラス分周器（ＤＭＤ）であってよく、位相アキュムレータはデジタル位相アキュムレータ（ＤＰＡ）であってよい。いくつかの実施形態において、ＤＭＤは、入力信号を（例えば、キャリーアウトに基づいて）ＮまたはＮ＋１のいずれかで分周して、フラクショナル分周比を提供するように構成されてよい。いくつかの例示的な実施形態において、ＤＬＬは、カスケード接続されたチューニング可能な遅延素子のセットと、位相検出器と、チャージポンプと、Ｄ型フリップフロップとを含んでよい。これらの実施形態において、遅延素子は、ＶＣＯ期間をＮｄ個の等しい位相のパケットに分割するように構成されてよく、Ｎｄは遅延線における遅延素子の数である。このようにして、ＤＬＬは負帰還を提供し、遅延線を通した総遅延が必ずＶＣＯの１サイクルになるようにするのに役立つ。
【０１３６】
いくつかの実施形態において、シンセサイザ回路１１０６ｄは、出力周波数としてキャリア周波数を生成するように構成されてよく、一方、他の実施形態において、出力周波数は、キャリア周波数の倍数（例えば、キャリア周波数の２倍、キャリア周波数の４倍）であってよく、キャリア周波数において互いに対して複数の異なる位相を有する複数の信号を生成するために、直交ジェネレータおよび分周器回路と併せて用いられてよい。いくつかの実施形態において、出力周波数はＬＯ周波数（ｆＬＯ）であってよい。いくつかの実施形態において、ＲＦ回路１１０６は、ＩＱ／極座標変換器を含んでよい。
【０１３７】
ＦＥＭ回路１１０８は受信信号経路を含んでよく、受信信号経路は、１または複数のアンテナ１１１０から受信されるＲＦ信号を処理し、その受信信号を増幅し、さらに処理するために増幅した形の受信信号をＲＦ回路１１０６に提供するように構成された回路を含んでよい。ＦＥＭ回路１１０８は伝送信号経路も含んでよく、伝送信号経路は、１または複数のアンテナ１１１０のうち１または複数により伝送するために、ＲＦ回路１１０６により提供される伝送用の信号を増幅するように構成された回路を含んでよい。
【０１３８】
いくつかの実施形態において、ＦＥＭ回路１１０８は、送信モード動作と受信モード動作を切り替えるＴＸ／ＲＸスイッチを含んでよい。ＦＥＭ回路は、受信信号経路および伝送信号経路を含んでよい。ＦＥＭ回路の受信信号経路は、受信されたＲＦ信号を増幅し、増幅された受信ＲＦ信号を出力（例えば、ＲＦ回路１１０６への）として提供するための低雑音増幅器（ＬＮＡ）を含んでよい。ＦＥＭ回路１１０８の伝送信号経路は、（例えば、ＲＦ回路１１０６により提供される）入力ＲＦ信号を増幅する電力増幅器（ＰＡ）と、（例えば、１または複数のアンテナ１１１０のうち１または複数による）次の伝送のためにＲＦ信号を生成する１または複数のフィルタとを含んでよい。
【０１３９】
いくつかの実施形態において、ＵＥ１１００は、複数の省電力機構を含む。ＵＥ１１００がＲＲＣ＿Ｃｏｎｎｅｃｔｅｄ状態（ここでは、ＵＥ１１００は、トラフィックを間もなく受信する予定なので、まだｅＮＢに接続されている）にある場合、非アクティブな期間の後に、間欠受信モード（ＤＲＸ）として知られている状態に入り得る。この状態の間、デバイスは、短い時間間隔で電源を切り得て、これによって電力を節約する。
【０１４０】
長期間にわたってデータトラフィックのアクティビティが存在しない場合、ＵＥ１１００は、ＲＲＣ＿Ｉｄｌｅ状態に遷移してオフになり得る。この状態では、ＵＥ１１００は、ネットワークから切断され、チャネル品質フィードバック、ハンドオーバーなどの動作を実行しない。ＵＥ１１００は、超低電力状態に移行し、ページングを実行する。ここで、ＵＥ１１００は再度、ネットワークをリッスンするために周期的に起動し、その後、再び電源を切る。デバイスは、この状態においてはデータを受信できず、データを受信するためには、ＲＲＣ＿Ｃｏｎｎｅｃｔｅｄ状態に再び遷移する必要がある。
【０１４１】
追加の省電力モードでは、（数秒から数時間にわたる）ページング間隔より長い期間にわたって、デバイスがネットワークから利用できなくなることがあり得る。この時間中、デバイスは、ネットワークにまったく接続できず、完全に電源が切られ得る。この時間中に送信される任意のデータは、大きな遅延を被り、その遅延は許容できると考えられている。
【０１４２】
明細書における、「実施形態」、「一実施形態」、「いくつかの実施形態」、または「他の実施形態」という言及は、実施形態に関連して説明される、具体的な特徴、構造、または特性は、少なくともいくつかの実施形態に含まれることを意味し、必ずしもすべても実施形態に含まれることを意味するものではない。「実施形態」、「一実施形態」、または「いくつかの実施形態」という様々な表現は、必ずしもすべて、同一の実施形態を参照するものではない。明細書が、コンポーネント、特徴、構造、または特性が含まれ「てよい」、含まれる「だろう」、または含まれ「得る」と述べている場合、この特定のコンポーネント、特徴、構造、または特性が含まれることが必須なわけではない。明細書または特許請求の範囲で、「１つの」または「一の」要素と言及する場合、これは、その要素が１つだけあることを意味するものではない。明細書または特許請求の範囲で、「追加の」要素に言及する場合、これは、この追加的な要素が１つよりも多くあることを除外しない。
【０１４３】
さらに、具体的な特徴、構造、機能、または特性を、１または複数の実施形態の中で任意の適切な方式で組み合わせてよい。例えば、２つの実施形態と関連する具体的な特徴、構造、機能、または特性が、相互に排他的でない場合はいつでも、第１の実施形態が第２の実施形態と組み合わされてよい。
【０１４４】
本開示は、特定の実施形態と併せて説明されてきたが、上記の説明を考慮すると、当業者には、そのような実施形態の多くの代替例、修正および変形が明らかとなるであろう。例えば、その他のメモリアーキテクチャ、例えばダイナミックＲＡＭ（ＤＲＡＭ）が、説明された実施形態で使用されてよい。本開示の実施形態は、添付の特許請求の範囲の広い範囲に含まれるように、そのような代替例、修正、および変形のすべてを包含することが意図されている。
【０１４５】
加えて、集積回路（ＩＣ）チップおよびその他のコンポーネントとの、よく知られた電源／グランド接続は、図示および説明を簡略化し、本開示を曖昧にしないように、提示される図面内に示されても示されなくてもよい。さらに、構成がブロック図の形式で示されてよい。これは、開示を不明瞭にすることを回避するためであり、また、そのような複数のブロック図の構成の実装に関する具体的事項が、本開示が内部に実装されるべきプラットフォームに大きく依存しているという事実から見てのことである（すなわち、そのような具体的事項は、十分、当業者の視野内のはずである）。本開示の例示の実施形態を説明するために具体的な詳細（例えば、回路）が説明されるところでは、本開示が、これらの具体的な詳細に対する変形無しに、または変形を伴って実施され得ることが当業者には明らかなはずである。従ってこの説明は、限定的ではなく例示的なものとみなされるべきである。
【０１４６】
以下の例は別の実施形態に関連する。例における具体的事項は、１または複数の実施形態の任意の箇所において使用されてよい。本明細書において説明される装置のすべての任意の特徴はまた、方法または処理に関しても実装されてよい。
【０１４７】
例１は、進化型ノードＢ（ｅＮＢ）の装置であって、無線ネットワーク上の少なくとも１つのセルラーＩｎｔｅｒｎｅｔ‐ｏｆ‐Ｔｈｉｎｇｓ（ＣＩｏＴ）デバイスと通信するように動作可能であり、１または複数のプロセッサを備え、１または複数のプロセッサは、第１ナローバンド（ＮＢ）無線通信チャネル上で、第１ＣＩｏＴデバイスのための第１伝送を生成することであって、第１伝送は、ナローバンドシステム情報（ＮＢ‐ＳＩ）のセットを含む、生成すること、ならびに、第２ＮＢ無線通信チャネル上で、第２ＣＩｏＴデバイスのための第２伝送を生成することであって、第２伝送は、ＮＢ‐ＳＩのセットを含む、生成することを行う、装置を提供する。
【０１４８】
例２において、例１の装置に関連して、１または複数のプロセッサはさらに、無線通信システム帯域幅における周波数リソースのセットに対応するサブキャリアのセットのために、ロングタームエボリューション（ＬＴＥ）一次同期信号（ＰＳＳ）伝送およびＬＴＥ二次同期信号（ＳＳＳ）伝送のうち少なくとも１つを生成することを行い、第１ＮＢ無線通信チャネルおよび第２ＮＢ無線通信チャネルは、周波数リソースのセットの外側における無線通信システム帯域幅の部分に対応する。
【０１４９】
例３において、例１または２のいずれかの装置に関連して、第１ＮＢ無線通信チャネルは、一次ＮＢ無線通信チャネルであり、１または複数のプロセッサはさらに、一次ＮＢ無線通信チャネル上で、ナローバンド同期チャネル（ＮＢ‐ＳＣＨ）伝送を生成する。
【０１５０】
例４において、例１から３のいずれかの装置に関連して、１または複数のプロセッサはさらに、一次ＮＢ無線通信チャネルのためのナローバンド物理ブロードキャストチャネル（ＮＢ‐ＰＢＣＨ）伝送を生成し、ＮＢ‐ＰＢＣＨ伝送は、利用可能なダウンリンク（ＤＬ）ＮＢ無線通信チャネルの数と、利用可能なＮＢ無線通信チャネル各々のロングタームエボリューション（ＬＴＥ）無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくはＬＴＥ無線通信システム帯域幅の外側に展開されるスタンドアロンチャネルのうちの１つとして識別するインジケータとのうち少なくとも１つを含むように構成されるナローバンドマスター情報ブロック（ＮＢ‐ＭＩＢ）を搬送する。
【０１５１】
例５において、例１から４のいずれかの装置に関連して、１または複数のプロセッサはさらに、予め定められた周波数ホッピングパターンに従って判定される、第１ＮＢ無線通信チャネルと異なる、ＮＢ無線通信チャネルのための、第１ＣＩｏＴデバイスについての次の伝送を生成する。
【０１５２】
例６において、例１から５のいずれかに記載の装置に関連して、１または複数のプロセッサはさらに、第１ＮＢ無線通信チャネル上で、第１ＣＩｏＴデバイスのためのナローバンド物理ダウンリンク制御チャネル（ＮＢ‐ＰＤＣＣＨ）伝送を生成し、ＮＢ‐ＰＤＣＣＨ伝送は、第１ＮＢ無線通信チャネルと異なる、第２ＮＢ無線通信チャネル上のナローバンド物理ダウンリンク共有チャネル割り当て（ＮＢ‐ＰＤＳＣＨ）を示す。
【０１５３】
例７において、例１から６のいずれかの装置に関連して、上記第１ＮＢ無線通信チャネルは、ロングタームエボリューション（ＬＴＥ）１００ｋＨｚラスターに合わせられた一次ＮＢ無線通信チャネルであり、偶数のＬＴＥシステム帯域幅については、オフセットが±２．５ｋＨｚ以内であり、奇数のＬＴＥシステム帯域幅については、オフセットが±７．５ｋＨｚ以内である。
【０１５４】
例８において、例１から７のいずれかの装置に関連して、上記１または複数のプロセッサはさらに、ナローバンド物理ダウンリンク制御チャネル（ＮＢ‐ＰＤＣＣＨ）伝送を受信するためにデフォルトＮＢをモニタリングするように第１ＣＩｏＴデバイスを構成するための１または複数のＲＲＣ構成伝送を生成する。
【０１５５】
例９において、例１から８のいずれかの装置に関連して、上記１または複数のプロセッサはさらに、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、拡張カバレッジを第１ＣＩｏＴデバイスに示す。
【０１５６】
例１０は、アプリケーションプロセッサと、メモリと、１または複数のアンテナポートと、アプリケーションプロセッサが別のデバイスと通信することを可能にするためのインタフェースとを備えるｅＮＢデバイスを提供し、ｅＮＢデバイスは、例１から９のいずれかの装置を備える。
【０１５７】
例１１は、機械実行可能命令を含む機械可読記憶媒体であって、機械実行可能命令は、実行されるとき、１または複数のプロセッサに、進化型ノードＢ（ｅＮＢ）のために、第１ナローバンド（ＮＢ）無線通信チャネル上で、第１セルラーＩｎｔｅｒｎｅｔ‐ｏｆ‐Ｔｈｉｎｇｓ（ＣＩｏＴ）デバイスのための第１伝送を生成することであって、第１伝送は、ナローバンドシステム情報（ＮＢ‐ＳＩ）のセットを含む、生成すること、および、第２ナローバンドＮＢ無線通信チャネル上で、第２ＣＩｏＴデバイスのための第２伝送を生成することであって、第２伝送は、ＮＢ‐ＳＩのセットを含む、生成することを含む動作を実行させる、機械可読記憶媒体を提供する。
【０１５８】
例１２において、例１１の機械可読記憶媒体に関連して、動作は、無線通信システム帯域幅における周波数リソースのセットに対応するサブキャリアのセットのために、ロングタームエボリューション（ＬＴＥ）一次同期信号（ＰＳＳ）伝送およびＬＴＥ二次同期信号（ＳＳＳ）伝送のうち少なくとも１つを生成することを含み、第１ＮＢ無線通信チャネルおよび第２ＮＢ無線通信チャネルは、周波数リソースのセットの外側の無線通信システム帯域幅の部分に対応する。
【０１５９】
例１３において、例１１または１２のいずれかの機械可読記憶媒体に関連して、第１ＮＢ無線通信チャネルは、一次ＮＢ無線通信チャネルであり、動作は、一次ＮＢ無線通信チャネル上で、ナローバンド同期チャネル（ＮＢ‐ＳＣＨ）伝送を生成することを含む。
【０１６０】
例１４において、例１１から１３のいずれかの機械可読記憶媒体に関連して、上記動作は、一次ＮＢ無線通信チャネルのためのナローバンド物理ブロードキャストチャネル（ＮＢ‐ＰＢＣＨ）伝送を生成することを含み、ＮＢ‐ＰＢＣＨ伝送は、利用可能なダウンリンク（ＤＬ）ＮＢ無線通信チャネルの数と、利用可能なＮＢ無線通信チャネル各々のロングタームエボリューション（ＬＴＥ）無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくはＬＴＥ無線通信システム帯域幅の外側に展開されるスタンドアロンチャネルのうちの１つとして識別するインジケータとのうち少なくとも１つを含むように構成されるナローバンドマスター情報ブロック（ＮＢ‐ＭＩＢ）を搬送する。
【０１６１】
例１５において、例１１から１４のいずれかの機械可読記憶媒体に関連して、動作は、予め定められた周波数ホッピングパターンに従って判定される、第１ＮＢ無線通信チャネルと異なる、ＮＢ無線通信チャネルのための、第１ＣＩｏＴデバイスについての次の伝送を生成することを含む。
【０１６２】
例１６において、例１１から１５のいずれかの機械可読記憶媒体に関連して、動作は、第１ＮＢ無線通信チャネル上で、第１ＣＩｏＴデバイスのためのナローバンド物理ダウンリンク制御チャネル（ＮＢ‐ＰＤＣＣＨ）伝送を生成することを含み、ＮＢ‐ＰＤＣＣＨ伝送は、第１ＮＢ無線通信チャネルと異なる、ＮＢ無線通信チャネル上のナローバンド物理ダウンリンク共有チャネル割り当て（ＮＢ‐ＰＤＳＣＨ）を示す。
【０１６３】
例１７において、例１１から１６のいずれかの機械可読記憶媒体に関連して、上記第１ＮＢ無線通信チャネルは、ロングタームエボリューション（ＬＴＥ）１００ｋＨｚラスターに合わせられた一次ＮＢ無線通信チャネルであり、偶数のＬＴＥシステム帯域幅については、オフセットが±２．５ｋＨｚ以内であり、奇数のＬＴＥシステム帯域幅については、オフセットが±７．５ｋＨｚ以内である。
【０１６４】
例１８において、例１１から１７のいずれかの機械可読記憶媒体に関連して、上記動作は、ナローバンド物理ダウンリンク制御チャネル（ＮＢ‐ＰＤＣＣＨ）伝送を受信するためにデフォルトＮＢをモニタリングするように上記第１ＣＩｏＴデバイスを構成するために、１または複数のＲＲＣ構成伝送を生成することを含む。
【０１６５】
例１９において、例１１から１８のいずれかの機械可読記憶媒体に関連して、上記動作は、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、拡張カバレッジを第１ＣＩｏＴデバイスに示すことを含む。
【０１６６】
例２０は、進化型ノードＢ（ｅＮＢ）のために、第１ナローバンド（ＮＢ）無線通信チャネル上で、第１セルラーＩｎｔｅｒｎｅｔ‐ｏｆ‐Ｔｈｉｎｇｓ（ＣＩｏＴ）デバイスのための第１伝送を生成する段階であって、第１伝送は、ナローバンドシステム情報（ＮＢ‐ＳＩ）のセットを含む、段階と、第２ナローバンドＮＢ無線通信チャネル上で、第２ＣＩｏＴデバイスのための第２伝送を生成する段階であって、第２伝送は、ＮＢ‐ＳＩのセットを含む、段階を備える方法を提供する。
【０１６７】
例２１において、例２０の方法は、無線通信システム帯域幅における周波数リソースのセットに対応するサブキャリアのセットのために、ロングタームエボリューション（ＬＴＥ）一次同期信号（ＰＳＳ）伝送およびＬＴＥ二次同期信号（ＳＳＳ）伝送のうち少なくとも１つを生成する段階であって、第１ＮＢ無線通信チャネルおよび第２ＮＢ無線通信チャネルは、周波数リソースのセットの外側の無線通信システム帯域幅の部分に対応する、段階を備える。
【０１６８】
例２２において、例２０または２１のいずれかの方法に関連して、第１ＮＢ無線通信チャネルは、一次ＮＢ無線通信チャネルであり、動作は、一次ＮＢ無線通信チャネル上で、ナローバンド同期チャネル（ＮＢ‐ＳＣＨ）伝送を生成することを含む。
【０１６９】
例２３において、例２０から２２のいずれかの方法は、一次ＮＢ無線通信チャネルのためのナローバンド物理ブロードキャストチャネル（ＮＢ‐ＰＢＣＨ）伝送を生成する段階であって、ＮＢ‐ＰＢＣＨ伝送は、利用可能なダウンリンク（ＤＬ）ＮＢ無線通信チャネルの数と、利用可能なＮＢ無線通信チャネル各々のロングタームエボリューション（ＬＴＥ）無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくはＬＴＥ無線通信システム帯域幅の外側に展開されるスタンドアロンチャネルのうちの１つとして識別するインジケータとのうち少なくとも１つを含むように構成されるナローバンドマスター情報ブロック（ＮＢ‐ＭＩＢ）を搬送する、段階を備える。
【０１７０】
例２４において、例２０から２３のいずれかの方法は、予め定められた周波数ホッピングパターンに従って判定される、第１ＮＢ無線通信チャネルと異なる、ＮＢ無線通信チャネルのための、第１ＣＩｏＴデバイスについての次の伝送を生成する段階を備える。
【０１７１】
例２５において、例２０から２４のいずれかの方法は、動作は、第１ＮＢ無線通信チャネル上で、第１ＣＩｏＴデバイスのためのナローバンド物理ダウンリンク制御チャネル（ＮＢ‐ＰＤＣＣＨ）伝送を生成する段階であって、ＮＢ‐ＰＤＣＣＨ伝送は、第１ＮＢ無線通信チャネルと異なる、ＮＢ無線通信チャネル上のナローバンド物理ダウンリンク共有チャネル割り当て（ＮＢ‐ＰＤＳＣＨ）を示す、段階を備える。
【０１７２】
例２６において、例２０から２５のいずれかの方法に関連して、上記第１ＮＢ無線通信チャネルは、ロングタームエボリューション（ＬＴＥ）１００ｋＨｚラスターに合わせられた一次ＮＢ無線通信チャネルであり、偶数のＬＴＥシステム帯域幅については、オフセットが±２．５ｋＨｚ以内であり、奇数のＬＴＥシステム帯域幅については、オフセットが±７．５ｋＨｚ以内である。
【０１７３】
例２７において、例２０から２６のいずれかの方法は、ナローバンド物理ダウンリンク制御チャネル（ＮＢ‐ＰＤＣＣＨ）伝送を受信するためにデフォルトＮＢをモニタリングするように上記第１ＣＩｏＴデバイスを構成するために、１または複数のＲＲＣ構成伝送を生成することを備える。
【０１７４】
例２８において、例２０から２７のいずれかの方法は、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、拡張カバレッジを第１ＣＩｏＴデバイスに示す段階を備える。
【０１７５】
例２９は、実行されるときに、例２０から２８のいずれか１つに係る方法を１または複数のプロセッサに実行させる機械実行可能命令が記憶される機械可読記憶媒体を提供する。
【０１７６】
例３０は、進化型ノードＢ（ｅＮＢ）の装置であって、無線ネットワーク上の少なくとも１つのセルラーＩｎｔｅｒｎｅｔ‐ｏｆ‐Ｔｈｉｎｇｓ（ＣＩｏＴ）デバイスと通信するように動作可能であり、第１ナローバンド（ＮＢ）無線通信チャネル上で、第１セルラーＩｎｔｅｒｎｅｔ‐ｏｆ‐Ｔｈｉｎｇｓ（ＣＩｏＴ）デバイスのための第１伝送を生成する手段であって、第１伝送は、ナローバンドシステム情報（ＮＢ‐ＳＩ）のセットを含む、手動、ならびに、第２ナローバンドＮＢ無線通信チャネル上で、第２ＣＩｏＴデバイスのための第２伝送を生成する手段であって、第２伝送は、ＮＢ‐ＳＩのセットを含む、手段を備える装置を提供する。
【０１７７】
例３１において、例３０の装置は、無線通信システム帯域幅における周波数リソースのセットに対応するサブキャリアのセットのために、ロングタームエボリューション（ＬＴＥ）一次同期信号（ＰＳＳ）伝送およびＬＴＥ二次同期信号（ＳＳＳ）伝送のうち少なくとも１つを生成する手段を備え、第１ＮＢ無線通信チャネルおよび第２ＮＢ無線通信チャネルは、周波数リソースのセットの外側における無線通信システム帯域幅の部分に対応する。
【０１７８】
例３２において、例３０または３１のいずれかの装置に関連して、第１ＮＢ無線通信チャネルは、一次ＮＢ無線通信チャネルであり、動作は、一次ＮＢ無線通信チャネル上で、ナローバンド同期チャネル（ＮＢ‐ＳＣＨ）伝送を生成する手段を含む。
【０１７９】
例３３において、例３０から３２のいずれかの装置は、一次ＮＢ無線通信チャネルのためのナローバンド物理ブロードキャストチャネル（ＮＢ‐ＰＢＣＨ）伝送を生成する手段であって、ＮＢ‐ＰＢＣＨ伝送は、利用可能なダウンリンク（ＤＬ）ＮＢ無線通信チャネルの数と、利用可能なＮＢ無線通信チャネル各々のロングタームエボリューション（ＬＴＥ）無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくはＬＴＥ無線通信システム帯域幅の外側に展開されるスタンドアロンチャネルのうちの１つとして識別するインジケータとのうち少なくとも１つを含むように構成されるナローバンドマスター情報ブロック（ＮＢ‐ＭＩＢ）を搬送する、手段を備える。
【０１８０】
例３４において、例３０から３３のいずれかの装置は、予め定められた周波数ホッピングパターンに従って判定される、第１ＮＢ無線通信チャネルと異なる、ＮＢ無線通信チャネルのための、第１ＣＩｏＴデバイスについての次の伝送を生成する手段を備える。
【０１８１】
例３５において、例３０から３４のいずれかの装置は、第１ＮＢ無線通信チャネル上で、第１ＣＩｏＴデバイスのためのナローバンド物理ダウンリンク制御チャネル（ＮＢ‐ＰＤＣＣＨ）伝送を生成する手段であって、ＮＢ‐ＰＤＣＣＨ伝送は、第１ＮＢ無線通信チャネルと異なる、ＮＢ無線通信チャネル上のナローバンド物理ダウンリンク共有チャネル割り当て（ＮＢ‐ＰＤＳＣＨ）を示す、手段を備える。
【０１８２】
例３６において、例３０から３５のいずれかの装置に関連して、上記第１ＮＢ無線通信チャネルは、ロングタームエボリューション（ＬＴＥ）１００ｋＨｚラスターに合わせられた一次ＮＢ無線通信チャネルであり、偶数のＬＴＥシステム帯域幅については、オフセットが±２．５ｋＨｚ以内であり、奇数のＬＴＥシステム帯域幅については、オフセットが±７．５ｋＨｚ以内である。
【０１８３】
例３７において、例３０から３６のいずれかの装置は、ナローバンド物理ダウンリンク制御チャネル（ＮＢ‐ＰＤＣＣＨ）伝送を受信するためにデフォルトＮＢをモニタリングするように上記第１ＣＩｏＴデバイスを構成するために、１または複数のＲＲＣ構成伝送を生成する手段を備える。
【０１８４】
例３８において、例３０から３７のいずれかの装置は、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、拡張カバレッジを第１ＣＩｏＴデバイスに示す手段を備える。
【０１８５】
例３９は、無線ネットワーク上で進化型ノードＢ（ｅＮＢ）と通信するように動作可能なセルラーＩｎｔｅｒｎｅｔ  ｏｆ  Ｔｈｉｎｇｓ（ＣＩｏＴ）デバイスの装置であって、ＮＢ一次同期信号（ＰＳＳ）、ＮＢ二次同期信号（ＳＳＳ）、ＮＢマスター情報ブロック（ＮＢ‐ＭＩＢ）、またはＮＢシステム情報ブロック（ＮＢ‐ＳＩＢ）の１つを含む伝送を、複数のナローバンド（ＮＢ）無線通信チャネルの１つから処理するための、ならびに、時間・周波数同期およびシステム情報を伝送から抽出するための、１または複数のプロセッサを備え、複数のＮＢ無線通信チャネルは、無線通信システム帯域幅内にあり、複数のＮＢ無線通信チャネルのうちの少なくとも２つは、ロングタームエボリューション（ＬＴＥ）一次同期信号（ＰＳＳ）およびＬＴＥ二次同期信号（ＳＳＳ）を伝送するために使用される周波数リソースのセットの外側にある無線通信システム帯域幅の部分に対応する、装置を提供する。
【０１８６】
例４０において、例３９の装置に関連して、複数のＮＢ無線通信チャネルの１つは、一次ＮＢ無線通信チャネルであり、１または複数のプロセッサはさらに、同期情報をナローバンド同期チャネル（ＮＢ‐ＳＣＨ）伝送から抽出し、一次ＮＢ無線通信チャネル上でＮＢ‐ＳＣＨ伝送を処理する。
【０１８７】
例４１において、例３９または４０のいずれかの装置に関連して、１または複数のプロセッサはさらに、情報をＮＢ‐ＭＩＢ伝送から抽出し、ＮＢ‐ＭＩＢ伝送は、利用可能なダウンリンク（ＤＬ）ＮＢ無線通信チャネルの数と、利用可能なＮＢ無線通信チャネル各々のＬＴＥ無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくはＬＴＥ無線通信システム帯域幅の外側に展開されるスタンドアロンチャネルのうちの１つとして識別するインジケータとのうち１または複数を含むように構成される。
【０１８８】
例４２において、例３９から４１のいずれかの装置に関連して、１または複数のプロセッサはさらに、第１ＮＢ無線通信チャネル上で第１伝送を処理し、第２ＮＢ無線通信チャネル上で第１伝送に続く次の伝送を処理し、第１ＮＢ無線通信チャネルは、第２ＮＢ無線通信チャネルと異なる。
【０１８９】
例４３において、例３９から４２のいずれかの装置に関連して、１または複数のプロセッサはさらに、第１ＮＢ無線通信チャネル上のナローバンド物理ダウンリンク制御チャネル（ＮＢ‐ＰＤＣＣＨ）伝送を処理すること、ナローバンド物理ダウンリンク共有チャネル（ＮＢ‐ＰＤＳＣＨ）伝送のためのチャネル割り当てをＮＢ‐ＰＤＣＣＨ伝送から抽出することであって、チャネル割り当ては、第１ＮＢ無線通信チャネルと異なる第２ＮＢ無線通信チャネルを示す、抽出すること、第２ＮＢ無線通信チャネル上のＮＢ‐ＰＤＳＣＨ伝送を処理することを行う。
【０１９０】
例４４において、例３９から４３のいずれかの装置に関連して、上記ＮＢ無線通信チャネルの１つは、ロングタームエボリューション（ＬＴＥ）１００ｋＨｚラスターに合わせられた一次ＮＢ無線通信チャネルであり、偶数のＬＴＥシステム帯域幅については、オフセットが±２．５ｋＨｚ以内であり、奇数のＬＴＥシステム帯域幅については、オフセットが±７．５ｋＨｚ以内である。
【０１９１】
例４５において、例３９から４４のいずれかの装置に関連して、上記１または複数のプロセッサはさらに、ナローバンド物理ダウンリンク制御チャネル（ＮＢ‐ＰＤＣＣＨ）伝送を受信するためにデフォルトＮＢをモニタリングするように第１ＣＩｏＴデバイスを構成するための１または複数のＲＲＣ構成伝送を処理する。
【０１９２】
例４６において、例３９から４５のいずれかの装置に関連して、上記１または複数のプロセッサはさらに、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、拡張カバレッジの指示をｅＮＢから抽出する。
【０１９３】
例４７は、アプリケーションプロセッサと、メモリと、１または複数のアンテナと、アプリケーションプロセッサが別のデバイスと通信することを可能にするための無線インタフェースとを備えるＣＩｏＴデバイスを提供し、ＣＩｏＴデバイスは、例３９から４３のいずれかの装置を備える。
【０１９４】
例４８は、機械実行可能命令を含む機械可読記憶媒体であって、機械実行可能命令は、実行されるとき、１または複数のプロセッサに、複数のナローバンド（ＮＢ）無線通信チャネルの１つから、セルラーＩｎｔｅｒｎｅｔ‐ｏｆ‐Ｔｈｉｎｇｓ（ＣＩｏＴ）デバイスのために、ナローバンド一次同期信号（ＮＢ‐ＰＳＳ）、ナローバンド二次同期信号（ＮＢ‐ＳＳＳ）、ナローバンドＮＢマスター情報ブロック（ＮＢ‐ＭＩＢ）、またはナローバンドＮＢシステム情報ブロック（ＮＢ‐ＳＩＢ）の１つを含む伝送を、処理すること、ならびに、時間・周波数同期およびシステム情報を伝送から抽出すること、を含む動作を実行させ、複数のＮＢ無線通信チャネルは、無線通信システム帯域幅内にあり、複数のＮＢ無線通信チャネルのうちの少なくとも２つは、ロングタームエボリューション（ＬＴＥ）一次同期信号（ＰＳＳ）およびＬＴＥ二次同期信号（ＳＳＳ）を伝送するために使用される周波数リソースのセットの外側にある無線通信システム帯域幅の部分に対応する、機械可読記憶媒体を提供する。
【０１９５】
例４９において、例４８の機械可読記憶媒体に関連して、複数のＮＢ無線通信チャネルの１つは、一次ＮＢ無線通信チャネルであり、動作は、同期情報をナローバンド同期チャネル（ＮＢ‐ＳＣＨ）伝送から抽出すること、および、一次ＮＢ無線通信チャネル上でＮＢ‐ＳＣＨ伝送を処理すること
を含む。
【０１９６】
例５０において、例４８または４９のいずれかの機械可読記憶媒体に関連して、動作は、情報をＮＢ‐ＭＩＢ伝送から抽出することを含み、ＮＢ‐ＭＩＢ伝送は、利用可能なダウンリンク（ＤＬ）ＮＢ無線通信チャネルの数と、利用可能なＮＢ無線通信チャネル各々のＬＴＥ無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくはＬＴＥ無線通信システム帯域幅の外側に展開されるスタンドアロンチャネルのうちの１つとして識別するインジケータとのうち１または複数を含むように構成される。
【０１９７】
例５１において、例４８から５０のいずれかの機械可読記憶媒体に関連して、動作は、第１ＮＢ無線通信チャネル上の第１伝送を処理すること、および、第２ＮＢ無線通信チャネル上の、第１伝送に続く次の伝送を処理することを含み、第１ＮＢ無線通信チャネルは、第２ＮＢ無線通信チャネルと異なる。
【０１９８】
例５２において、例４８から５１のいずれかの機械可読記憶媒体に関連して、動作はさらに、第１ＮＢ無線通信チャネル上のナローバンド物理ダウンリンク制御チャネル（ＮＢ‐ＰＤＣＣＨ）伝送を処理すること、ナローバンド物理ダウンリンク共有チャネル（ＮＢ‐ＰＤＳＣＨ）伝送のためのチャネル割り当てをＮＢ‐ＰＤＣＣＨ伝送から抽出することであって、チャネル割り当ては、第１ＮＢ無線通信チャネルと異なる第２ＮＢ無線通信チャネルを示す、抽出すること、および、第２ＮＢ無線通信チャネル上のＮＢ‐ＰＤＳＣＨ伝送を処理することを含む。
【０１９９】
例５３において、例４８から５２のいずれかの機械可読記憶媒体に関連して、上記ＮＢ無線通信チャネルの１つは、ロングタームエボリューション（ＬＴＥ）１００ｋＨｚラスターに合わせられた一次ＮＢ無線通信チャネルであり、偶数のＬＴＥシステム帯域幅については、オフセットが±２．５ｋＨｚ以内であり、奇数のＬＴＥシステム帯域幅については、オフセットが±７．５ｋＨｚ以内である。
【０２００】
例５４において、例４８から５３のいずれかの機械可読記憶媒体に関連して、上記動作は、ナローバンド物理ダウンリンク制御チャネル（ＮＢ‐ＰＤＣＣＨ）伝送を受信するためにデフォルトＮＢをモニタリングするように上記第１ＣＩｏＴデバイスを構成するために、１または複数のＲＲＣ構成伝送を処理することを含む。
【０２０１】
例５５において、例４８から５４のいずれかの機械可読記憶媒体に関連して、上記動作は、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、拡張カバレッジの指示をｅＮＢから抽出することを含む。
【０２０２】
例５６は、セルラーＩｎｔｅｒｎｅｔ‐ｏｆ‐Ｔｈｉｎｇｓ（ＣＩｏＴ）デバイスのために、複数のナローバンド（ＮＢ）無線通信チャネルの１つから、ナローバンド一次同期信号（ＮＢ‐ＰＳＳ）、ナローバンド二次同期信号（ＮＢ‐ＳＳＳ）、ナローバンドＮＢマスター情報ブロック（ＮＢ‐ＭＩＢ）、またはナローバンドＮＢシステム情報ブロック（ＮＢ‐ＳＩＢ）の１つを含む伝送を処理する段階、ならびに、時間・周波数同期およびシステム情報を伝送から抽出する段階を備える方法を提供し、複数のＮＢ無線通信チャネルは、無線通信システム帯域幅内にあり、複数のＮＢ無線通信チャネルのうちの少なくとも２つは、ロングタームエボリューション（ＬＴＥ）一次同期信号（ＰＳＳ）およびＬＴＥ二次同期信号（ＳＳＳ）を伝送するために使用される周波数リソースのセットの外側にある無線通信システム帯域幅の部分に対応する。
【０２０３】
例５７において、例５６の方法に関連して、複数のＮＢ無線通信チャネルの１つは、一次ＮＢ無線通信チャネルであり、方法は、同期情報をナローバンド同期チャネル（ＮＢ‐ＳＣＨ）伝送から抽出すること、および、一次ＮＢ無線通信チャネル上でＮＢ‐ＳＣＨ伝送を処理することを含む。
【０２０４】
例５８において、例５６または５７のいずれかの方法に関連して、方法は、情報をＮＢ‐ＭＩＢ伝送から抽出する段階を含み、ＮＢ‐ＭＩＢ伝送は、利用可能なダウンリンク（ＤＬ）ＮＢ無線通信チャネルの数と、利用可能なＮＢ無線通信チャネル各々のＬＴＥ無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくはＬＴＥ無線通信システム帯域幅の外側に展開されるスタンドアロンチャネルのうちの１つとして識別するインジケータとのうち１または複数を含むように構成される。
【０２０５】
例５９において、例５６から５８のいずれかの方法に関連して、方法は、第１ＮＢ無線通信チャネル上の第１伝送を処理する段階、および、第２ＮＢ無線通信チャネル上の、第１伝送に続く次の伝送を処理する段階であって、第１ＮＢ無線通信チャネルは、第２ＮＢ無線通信チャネルと異なる、処理する段階を含む。
【０２０６】
例６０において、例５６から５９のいずれかの方法に関連して、方法は、第１ＮＢ無線通信チャネル上のナローバンド物理ダウンリンク制御チャネル（ＮＢ‐ＰＤＣＣＨ）伝送を処理する段階と、ナローバンド物理ダウンリンク共有チャネル（ＮＢ‐ＰＤＳＣＨ）伝送のためのチャネル割り当てをＮＢ‐ＰＤＣＣＨ伝送から抽出する段階であって、チャネル割り当ては、第１ＮＢ無線通信チャネルと異なる第２ＮＢ無線通信チャネルを示す、段階と、第２ＮＢ無線通信チャネル上のＮＢ‐ＰＤＳＣＨ伝送を処理する段階とを備える。
【０２０７】
例６１において、例５６から６０のいずれかの方法に関連して、上記ＮＢ無線通信チャネルの１つは、ロングタームエボリューション（ＬＴＥ）１００ｋＨｚラスターに合わせられた一次ＮＢ無線通信チャネルであり、偶数のＬＴＥシステム帯域幅については、オフセットが±２．５ｋＨｚ以内であり、奇数のＬＴＥシステム帯域幅については、オフセットが±７．５ｋＨｚ以内である。
【０２０８】
例６２において、例５６から６１のいずれかの方法は、ナローバンド物理ダウンリンク制御チャネル（ＮＢ‐ＰＤＣＣＨ）伝送を受信するためにデフォルトＮＢをモニタリングするように上記第１ＣＩｏＴデバイスを構成するために、１または複数のＲＲＣ構成伝送を処理することを備える。
【０２０９】
例６３において、例５６から６２のいずれかの方法は、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、拡張カバレッジの指示をｅＮＢから抽出する段階を備える。
【０２１０】
例６４は、実行されるときに、例５６から６３のいずれか１つに係る方法を１または複数のプロセッサに実行させる機械実行可能命令が記憶される機械可読記憶媒体を提供する。
【０２１１】
例６５は、無線ネットワーク上で進化型ノードＢ（ｅＮＢ）と通信するように動作可能なセルラーＩｎｔｅｒｎｅｔ  ｏｆ  Ｔｈｉｎｇｓ（ＣＩｏＴ）デバイスの装置を提供し、上記装置は、ナローバンド一次同期信号（ＮＢ‐ＰＳＳ）、ナローバンド二次同期信号（ＮＢ‐ＳＳＳ）、ナローバンドＮＢマスター情報ブロック（ＮＢ‐ＭＩＢ）、またはナローバンドＮＢシステム情報ブロック（ＮＢ‐ＳＩＢ）の１つを含む伝送を、複数のナローバンド（ＮＢ）無線通信チャネルの１つから処理する手段、ならびに、時間・周波数同期およびシステム情報を伝送から抽出する手段を備え、複数のＮＢ無線通信チャネルは、無線通信システム帯域幅内にあり、複数のＮＢ無線通信チャネルのうちの少なくとも２つは、ロングタームエボリューション（ＬＴＥ）一次同期信号（ＰＳＳ）およびＬＴＥ二次同期信号（ＳＳＳ）を伝送するために使用される周波数リソースのセットの外側にある無線通信システム帯域幅の部分に対応する。
【０２１２】
例６６において、例６５の装置に関連して、複数のＮＢ無線通信チャネルの１つは、一次ＮＢ無線通信チャネルであり、方法は、同期情報をナローバンド同期チャネル（ＮＢ‐ＳＣＨ）伝送から抽出する手段、および、一次ＮＢ無線通信チャネル上でＮＢ‐ＳＣＨ伝送を処理する手段を備える。
【０２１３】
例６７において、例６５または６６のいずれかの装置に関連して、装置は、情報をＮＢ‐ＭＩＢ伝送から抽出する手段を備え、ＮＢ‐ＭＩＢ伝送は、利用可能なダウンリンク（ＤＬ）ＮＢ無線通信チャネルの数と、利用可能なＮＢ無線通信チャネル各々のＬＴＥ無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくはＬＴＥ無線通信システム帯域幅の外側に展開されるスタンドアロンチャネルのうちの１つとして識別するインジケータとのうち１または複数を含むように構成される。
【０２１４】
例６８において、例６５から６７のいずれかの装置に関連して、装置は、第１ＮＢ無線通信チャネル上の第１伝送を処理する手段、および、第２ＮＢ無線通信チャネル上の、第１伝送に続く次の伝送を処理する手段であって、第１ＮＢ無線通信チャネルは、第２ＮＢ無線通信チャネルと異なる、手段を含む。
【０２１５】
例６９において、例６５から６８のいずれかの装置は、第１ＮＢ無線通信チャネル上のナローバンド物理ダウンリンク制御チャネル（ＮＢ‐ＰＤＣＣＨ）伝送を処理する手段と、ナローバンド物理ダウンリンク共有チャネル（ＮＢ‐ＰＤＳＣＨ）伝送のためのチャネル割り当てをＮＢ‐ＰＤＣＣＨ伝送から抽出する手段であって、チャネル割り当ては、第１ＮＢ無線通信チャネルと異なる第２ＮＢ無線通信チャネルを示す、手段と、第２ＮＢ無線通信チャネル上のＮＢ‐ＰＤＳＣＨ伝送を処理する手段とを備える。
【０２１６】
例７０において、例６５から６９のいずれかの装置に関連して、上記ＮＢ無線通信チャネルの１つは、ロングタームエボリューション（ＬＴＥ）１００ｋＨｚラスターに合わせられた一次ＮＢ無線通信チャネルであり、偶数のＬＴＥシステム帯域幅については、オフセットが±２．５ｋＨｚ以内であり、奇数のＬＴＥシステム帯域幅については、オフセットが±７．５ｋＨｚ以内である。
【０２１７】
例７１において、例６５から７０のいずれかの装置は、ナローバンド物理ダウンリンク制御チャネル（ＮＢ‐ＰＤＣＣＨ）伝送を受信するためにデフォルトＮＢをモニタリングするように上記第１ＣＩｏＴデバイスを構成するために、１または複数のＲＲＣ構成伝送を処理する手段を備える。
【０２１８】
例７２において、例６５から７１のいずれかの装置は、ユニキャストメッセージの受信または伝送のためのレイヤ１制御を使用して示される再伝送の数、第１ＣＩｏＴデバイスについての反復レベルへのマッピング、および、第１ＣＩｏＴデバイスの反復レベルへマッピングされた値のセットの中の値のうちの１つによって、拡張カバレッジの指示をｅＮＢから抽出する手段を備える。
【０２１９】
例７３において、例１から１０、３０から３８、３９から４７、６５から７２のいずれかの装置に関連して、上記１または複数のプロセッサは、ベースバンドプロセッサを含む。
【０２２０】
この技術的開示の本質および趣旨を読者が確認できるようにする要約が提供される。要約は、請求項の範囲または意味を、限定するために使用されることがないとの理解のもとに提出されている。以下の特許請求の範囲は、本明細書における発明を実施するための形態に組み込まれ、各請求項は別個の実施形態としてそれ自身で成立している。
【図１】
2018526838.tif 000003
【図２】
2018526838.tif 000004
【図３】
2018526838.tif 000005
【図４】
2018526838.tif 000006
【図５】
2018526838.tif 000007
【図６】
2018526838.tif 000008
【図７】
2018526838.tif 000009
【図８】
2018526838.tif 000010
【図９】
2018526838.tif 000011
【図１０】
2018526838.tif 000012
【図１１】
2018526838.tif 000013
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
進化型ノードＢ（ｅＮＢ）の装置であって、
無線ネットワーク上の少なくとも１つのセルラーＩｎｔｅｒｎｅｔ‐ｏｆ‐Ｔｈｉｎｇｓ（ＣＩｏＴ）デバイスと通信するように動作可能であり、
１または複数のプロセッサを備え、前記１または複数のプロセッサは、
第１ナローバンド無線通信チャネル（第１ＮＢ無線通信チャネル）上で、第１ＣＩｏＴデバイスのための第１伝送を生成することであって、前記第１伝送は、ナローバンドシステム情報（ＮＢ‐ＳＩ）のセットを含む、生成することと、
第２ＮＢ無線通信チャネル上で、第２ＣＩｏＴデバイスのための第２伝送を生成することであって、前記第２伝送は、前記ＮＢ‐ＳＩのセットを含む、生成することと
を行う、
装置。
【請求項２】
前記１または複数のプロセッサはさらに、
無線通信システム帯域幅における周波数リソースのセットに対応するサブキャリアのセットのために、ロングタームエボリューション（ＬＴＥ）一次同期信号（ＰＳＳ）伝送およびＬＴＥ二次同期信号（ＳＳＳ）伝送のうち少なくとも１つを生成することを行い、
前記第１ＮＢ無線通信チャネルおよび前記第２ＮＢ無線通信チャネルは、前記周波数リソースのセットの外側における前記無線通信システム帯域幅の部分に対応する、
請求項１に記載の装置。
【請求項３】
前記第１ＮＢ無線通信チャネルは、一次ＮＢ無線通信チャネルであり、前記１または複数のプロセッサはさらに、
前記一次ＮＢ無線通信チャネル上で、ナローバンド同期チャネル（ＮＢ‐ＳＣＨ）伝送を生成する、
請求項１または２に記載の装置。
【請求項４】
前記１または複数のプロセッサはさらに、
一次ＮＢ無線通信チャネルのためのナローバンド物理ブロードキャストチャネル伝送（ＮＢ‐ＰＢＣＨ伝送）を生成し、前記ＮＢ‐ＰＢＣＨ伝送は、利用可能なダウンリンク（ＤＬ）ＮＢ無線通信チャネルの数と、利用可能なＮＢ無線通信チャネル各々のロングタームエボリューション（ＬＴＥ）無線通信システム帯域幅における位置と、前記ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくは前記ＬＴＥ無線通信システム帯域幅の外側に展開されるスタンドアロンチャネルのうちの１つとして識別するインジケータとのうち少なくとも１つを含むナローバンドマスター情報ブロック（ＮＢ‐ＭＩＢ）を搬送する、
請求項１または２に記載の装置。
【請求項５】
前記１または複数のプロセッサはさらに、予め定められた周波数ホッピングパターンに従って判定される、前記第１ＮＢ無線通信チャネルと異なるＮＢ無線通信チャネルのための、前記第１ＣＩｏＴデバイスのための次の伝送を生成する、請求項１または２に記載の装置。
【請求項６】
前記１または複数のプロセッサはさらに、
前記第１ＮＢ無線通信チャネル上で、前記第１ＣＩｏＴデバイスのためのナローバンド物理ダウンリンク制御チャネル伝送（ＮＢ‐ＰＤＣＣＨ伝送）を生成し、前記ＮＢ‐ＰＤＣＣＨ伝送は、前記第１ＮＢ無線通信チャネルと異なる第２ＮＢ無線通信チャネル上のナローバンド物理ダウンリンク共有チャネル割り当て（ＮＢ‐ＰＤＳＣＨ）を示す、
請求項１または２に記載の装置。
【請求項７】
機械実行可能命令を含むコンピュータプログラムであって、
前記機械実行可能命令は、実行されるとき、１または複数のプロセッサに、
進化型ノードＢ（ｅＮＢ）のために、第１ナローバンド無線通信チャネル（第１ＮＢ無線通信チャネル）上で、第１セルラーＩｎｔｅｒｎｅｔ‐ｏｆ‐Ｔｈｉｎｇｓデバイス（第１ＣＩｏＴデバイス）のための第１伝送を生成することであって、前記第１伝送は、ナローバンドシステム情報（ＮＢ‐ＳＩ）のセットを含む、生成することと、
第２ナローバンド無線通信チャネル（第２ＮＢ無線通信チャネル）上で、第２ＣＩｏＴデバイスのための第２伝送を生成することであって、前記第２伝送は、前記ＮＢ‐ＳＩのセットを含む、生成することと
を含む動作を実行させる
コンピュータプログラム。
【請求項８】
前記動作は、無線通信システム帯域幅における周波数リソースのセットに対応するサブキャリアのセットのために、ロングタームエボリューション（ＬＴＥ）一次同期信号（ＰＳＳ）伝送およびＬＴＥ二次同期信号（ＳＳＳ）伝送のうち少なくとも１つを生成することを含み、前記第１ＮＢ無線通信チャネルおよび前記第２ＮＢ無線通信チャネルは、前記周波数リソースのセットの外側の前記無線通信システム帯域幅の部分に対応する、請求項７に記載のコンピュータプログラム。
【請求項９】
前記第１ＮＢ無線通信チャネルは、一次ＮＢ無線通信チャネルであり、前記動作は、前記一次ＮＢ無線通信チャネル上で、ナローバンド同期チャネル（ＮＢ‐ＳＣＨ）伝送を生成することを含む、請求項７または８に記載のコンピュータプログラム。
【請求項１０】
前記動作は、一次ＮＢ無線通信チャネルのためのナローバンド物理ブロードキャストチャネル伝送（ＮＢ‐ＰＢＣＨ伝送）を生成することを含み、前記ＮＢ‐ＰＢＣＨ伝送は、利用可能なダウンリンク（ＤＬ）ＮＢ無線通信チャネルの数と、利用可能なＮＢ無線通信チャネル各々のロングタームエボリューション（ＬＴＥ）無線通信システム帯域幅における位置と、前記ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくは前記ＬＴＥ無線通信システム帯域幅の外側に展開されるスタンドアロンチャネルのうちの１つとして識別するインジケータとのうち少なくとも１つを含むナローバンドマスター情報ブロック（ＮＢ‐ＭＩＢ）を搬送する、請求項７または８に記載のコンピュータプログラム。
【請求項１１】
前記動作は、予め定められた周波数ホッピングパターンに従って判定される、前記第１ＮＢ無線通信チャネルと異なる、ＮＢ無線通信チャネルのための、前記第１ＣＩｏＴデバイスについての次の伝送を生成することを含む、請求項７または８に記載のコンピュータプログラム。
【請求項１２】
前記動作は、前記第１ＮＢ無線通信チャネル上で、前記第１ＣＩｏＴデバイスのためのナローバンド物理ダウンリンク制御チャネル伝送（ＮＢ‐ＰＤＣＣＨ伝送）を生成することを含み、前記ＮＢ‐ＰＤＣＣＨ伝送は、前記第１ＮＢ無線通信チャネルと異なるＮＢ無線通信チャネル上のナローバンド物理ダウンリンク共有チャネル割り当て（ＮＢ‐ＰＤＳＣＨ）を示す、請求項７または８に記載のコンピュータプログラム。
【請求項１３】
無線ネットワーク上で進化型ノードＢ（ｅＮＢ）と通信するように動作可能なセルラーＩｎｔｅｒｎｅｔ  ｏｆ  Ｔｈｉｎｇｓ（ＣＩｏＴ）デバイスの装置であって、
ＮＢ一次同期信号（ＰＳＳ）、ＮＢ二次同期信号（ＳＳＳ）、ＮＢマスター情報ブロック（ＮＢ‐ＭＩＢ）、またはＮＢシステム情報ブロック（ＮＢ‐ＳＩＢ）のうち１つを含む伝送を、複数のナローバンド無線通信チャネル（複数のＮＢ無線通信チャネル）の１つから処理するための、および、
時間・周波数同期およびシステム情報を前記伝送から抽出するための、
１または複数のプロセッサを備え、
前記複数のＮＢ無線通信チャネルは、無線通信システム帯域幅内にあり、
前記複数のＮＢ無線通信チャネルのうちの少なくとも２つは、ロングタームエボリューション（ＬＴＥ）一次同期信号（ＰＳＳ）およびＬＴＥ二次同期信号（ＳＳＳ）を伝送するために使用される周波数リソースのセットの外側における前記無線通信システム帯域幅の部分に対応する、
装置。
【請求項１４】
前記複数のＮＢ無線通信チャネルの１つは、一次ＮＢ無線通信チャネルであり、前記１または複数のプロセッサはさらに、
同期情報をナローバンド同期チャネル伝送（ＮＢ‐ＳＣＨ伝送）から抽出し、
前記一次ＮＢ無線通信チャネル上で前記ＮＢ‐ＳＣＨ伝送を処理する、
請求項１３に記載の装置。
【請求項１５】
前記１または複数のプロセッサはさらに、情報をＮＢ‐ＭＩＢ伝送から抽出し、
前記ＮＢ‐ＭＩＢ伝送は、利用可能なダウンリンク（ＤＬ）ＮＢ無線通信チャネルの数と、利用可能なＮＢ無線通信チャネル各々のＬＴＥ無線通信システム帯域幅における位置と、前記ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくは前記ＬＴＥ無線通信システム帯域幅の外側に展開されるスタンドアロンチャネルのうちの１つとして識別するインジケータとのうち１または複数を含む、請求項１３または１４に記載の装置。
【請求項１６】
前記１または複数のプロセッサはさらに、
第１ＮＢ無線通信チャネル上で第１伝送を処理し、
第２ＮＢ無線通信チャネル上で前記第１伝送に続く次の伝送を処理し、前記第１ＮＢ無線通信チャネルは、前記第２ＮＢ無線通信チャネルと異なる、
請求項１３または１４に記載の装置。
【請求項１７】
前記１または複数のプロセッサはさらに、
第１ＮＢ無線通信チャネル上のナローバンド物理ダウンリンク制御チャネル伝送（ＮＢ‐ＰＤＣＣＨ伝送）を処理することと、
ナローバンド物理ダウンリンク共有チャネル伝送（ＮＢ‐ＰＤＳＣＨ伝送）のためのチャネル割り当てを前記ＮＢ‐ＰＤＣＣＨ伝送から抽出することであって、前記チャネル割り当ては、前記第１ＮＢ無線通信チャネルと異なる第２ＮＢ無線通信チャネルを示す、抽出することと、
前記第２ＮＢ無線通信チャネル上の前記ＮＢ‐ＰＤＳＣＨ伝送を処理することと
を行う、請求項１３または１４に記載の装置。
【請求項１８】
機械実行可能命令を含むコンピュータプログラムであって、前記コンピュータプログラムは、実行されるとき、１または複数のプロセッサに、
セルラーＩｎｔｅｒｎｅｔ‐ｏｆ‐Ｔｈｉｎｇｓ（ＣＩｏＴ）デバイスのために、複数のナローバンド無線通信チャネル（複数のＮＢ無線通信チャネル）の１つから、ナローバンド一次同期信号（ＮＢ‐ＰＳＳ）、ナローバンド二次同期信号（ＮＢ‐ＳＳＳ）、ナローバンドＮＢマスター情報ブロック（ＮＢ‐ＭＩＢ）、またはナローバンドＮＢシステム情報ブロック（ＮＢ‐ＳＩＢ）のうちの１つを含む伝送を処理することと、
時間・周波数同期およびシステム情報を前記伝送から抽出することと、
を含む動作を実行させ、
前記複数のＮＢ無線通信チャネルは、無線通信システム帯域幅内にあり、
前記複数のＮＢ無線通信チャネルのうちの少なくとも２つは、ロングタームエボリューション（ＬＴＥ）一次同期信号（ＰＳＳ）およびＬＴＥ二次同期信号（ＳＳＳ）を伝送するために使用される周波数リソースのセットの外側にある前記無線通信システム帯域幅の部分に対応する、
コンピュータプログラム。
【請求項１９】
前記複数のＮＢ無線通信チャネルの１つは、一次ＮＢ無線通信チャネルであり、前記動作は、
同期情報をナローバンド同期チャネル伝送（ＮＢ‐ＳＣＨ伝送）から抽出することと、
前記一次ＮＢ無線通信チャネル上で前記ＮＢ‐ＳＣＨ伝送を処理することと
を含む、請求項１８に記載のコンピュータプログラム。
【請求項２０】
前記動作は、情報をＮＢ‐ＭＩＢ伝送から抽出することを含み、前記ＮＢ‐ＭＩＢ伝送は、利用可能なダウンリンク（ＤＬ）ＮＢ無線通信チャネルの数と、利用可能なＮＢ無線通信チャネル各々のＬＴＥ無線通信システム帯域幅における位置と、ｅＮＢによるＤＬ伝送のために利用可能なアンテナの数と、ナローバンドシステム情報ブロックタイプ１（ＮＢ‐ＳＩＢ１）のための少なくとも部分的なスケジューリングおよびリソース割り当て情報と、または、少なくとも１つのＮＢ無線通信チャネルを、ＬＴＥ無線通信システム帯域幅において展開される帯域内チャネルもしくは前記ＬＴＥ無線通信システム帯域幅の外側に展開されるスタンドアロンチャネルのうちの１つとして識別するインジケータとのうち１または複数を含む、請求項１８または１９に記載のコンピュータプログラム。
【請求項２１】
前記動作は、
第１ＮＢ無線通信チャネル上の第１伝送を処理することと、
第２ＮＢ無線通信チャネル上の、前記第１伝送に続く次の伝送を処理することであって、前記第１ＮＢ無線通信チャネルは、前記第２ＮＢ無線通信チャネルと異なる、処理することと
を含む、請求項１８または１９に記載のコンピュータプログラム。
【請求項２２】
前記動作は、
第１ＮＢ無線通信チャネル上の、ナローバンド物理ダウンリンク制御チャネル伝送（ＮＢ‐ＰＤＣＣＨ伝送）を処理することと、
ナローバンド物理ダウンリンク共有チャネル伝送（ＮＢ‐ＰＤＳＣＨ伝送）のためのチャネル割り当てを前記ＮＢ‐ＰＤＣＣＨ伝送から抽出することであって、前記チャネル割り当ては、前記第１ＮＢ無線通信チャネルと異なる第２ＮＢ無線通信チャネルを示す、抽出することと、
前記第２ＮＢ無線通信チャネル上の前記ＮＢ‐ＰＤＳＣＨ伝送を処理することと
を含む、請求項１８または１９に記載のコンピュータプログラム。
【請求項２３】
請求項７から１２、１８から２２のいずれか一項に記載のコンピュータプログラムを記憶する機械可読記憶媒体。
【国際調査報告】
2018526838.tif 000014
2018526838.tif 000015
2018526838.tif 000016
2018526838.tif 000017